(57)【要約】      （修正有）【課題】ワイヤレス通信におけるアクセスポイントを再選択することにおいて再選択インジケータを利用することを容易にするシステムおよび方法を提供する。【解決手段】イントラ周波数再選択が許可されるかどうかを特定する制約される関連付けアクセスポイントに関連しているインジケータが提供される。インジケータを受信するモバイルデバイスは、同様な周波数において動作し、それがアクセスを有する他のアクセスポイントに対して再選択することができる。または、モバイルデバイスは、制約される関連付けアクセスポイントに対して実質的な干渉を引き起こさないように他の周波数において、アクセスポイントを評価することができる。さらに、イントラ周波数アクセスポイントと通信することによって引き起こされた干渉の予測レベルは、ある場合においては、再選択インジケータをオーバーライドするためにコンピュートされ評価されることができる。【選択図】図５
2014060751.tif 000002
【特許請求の範囲】
【請求項１】
イントラ周波数再選択が許可されるかどうかを特定する制約される関連付けアクセスポイントに関連している再選択インジケータを受信することと、
前記制約される関連付けアクセスポイントと同様な周波数領域で動作するターゲットアクセスポイントと通信することによって、前記制約される関連付けアクセスポイントに対して引き起こされる干渉を予測することに関連しているオフセットを受信することと、
前記再選択インジケータと前記オフセットとに基づいて前記ターゲットアクセスポイントを選択するかどうかを決定することと、
を備える方法。
【請求項２】
前記制約される関連付けアクセスポイントと前記ターゲットアクセスポイントとを含んでいる１以上のアクセスポイントをランク付けすること、をさらに備え、前記制約される関連付けアクセスポイントは、前記ターゲットアクセスポイントよりも高くランク付けされる、請求項１に記載の方法。
【請求項３】
前記ターゲットアクセスポイントと通信することから生じる干渉の予測レベルをコンピュートすること、をさらに備える請求項１に記載の方法。
【請求項４】
前記干渉の予測レベルをコンピュートすることは、前記制約される関連付けアクセスポイントの参照信号受信パワー（ＲＳＲＰ）と、前記オフセットに加えられる前記ターゲットアクセスポイントのものと、比較することを含む、請求項３に記載の方法。
【請求項５】
前記ターゲットアクセスポイントと通信することから生じる前記干渉の予測レベルが前記再選択インジケータをオーバーライドするためのしきい値レベルを超える場合には、より低くランク付けされるターゲットアクセスポイントに関連している異なる干渉の予測レベルをコンピュートすること、をさらに備える請求項４に記載の方法。
【請求項６】
前記異なる干渉の予測レベルが前記再選択インジケータをオーバーライドするための前記しきい値レベルを超えるということを決定することに少なくとも部分的に基づいて、再選択のために、異なる周波数または技術に関して、アクセスポイントを評価すること、
をさらに備える請求項５に記載の方法。
【請求項７】
前記再選択インジケータを受信するとタイマをイニシャライズすること、
をさらに備え、前記再選択インジケータは、イントラ周波数再選択が許可されないということを特定する、請求項１に記載の方法。
【請求項８】
前記タイマの終了のときに、第２の再選択インジケータを読み取ることと、
前記第２の再選択インジケータと前記オフセットとに基づいて前記ターゲットアクセスポイントを選択するかどうかを決定することと、
をさらに備える請求項７に記載の方法。
【請求項９】
前記再選択インジケータは、前記制約される関連付けアクセスポイントが位置づけられるセクタを提供するマクロセル基地局から受信される、請求項１に記載の方法。
【請求項１０】
前記再選択インジケータは、前記セクタ内で位置づけられる実質的にすべての制約される関連付けアクセスポイントに適用する、請求項９に記載の方法。
【請求項１１】
前記再選択インジケータは、前記セクタの追加システム情報とともに受信される、請求項９に記載の方法。
【請求項１２】
前記再選択インジケータは、前記制約される関連付けアクセスポイントから受信される、請求項１に記載の方法。
【請求項１３】
イントラ周波数アクセスポイント再選択が許可されるかどうかを特定する制約される関連付けアクセスポイントに関連している再選択インジケータを得るように、
前記制約される関連付けアクセスポイントと同様な周波数領域で動作するターゲットアクセスポイントと通信することから生じる潜在的な干渉に関連しているオフセットを受信するように、
前記再選択インジケータと前記オフセットとに少なくとも部分的に基づいて前記ターゲットアクセスポイントを選択するかどうかを決定するように、
構成される少なくとも１つのプロセッサと；
前記少なくとも１つのプロセッサに結合されるメモリと；
を備えるワイヤレス通信装置。
【請求項１４】
前記少なくとも１つのプロセッサは、前記制約される関連付けアクセスポイントが前記ターゲットアクセスポイントよりも高くランク付けされる場合には、再選択のためにアクセスポイントをランク付けするようにさらに構成される、請求項１３に記載のワイヤレス通信装置。
【請求項１５】
前記少なくとも１つのプロセッサは、前記ターゲットアクセスポイントと通信することから生じる、前記制約される関連付けアクセスポイントに対する干渉の予測レベルをコンピュートするようにさらに構成されており、前記少なくとも１つのプロセッサは、前記の干渉の予測レベルにさらに少なくとも部分的に基づいて、前記ターゲットアクセスポイントを選択するかどうかを決定する、請求項１３に記載のワイヤレス通信装置。
【請求項１６】
前記少なくとも１つのプロセッサは、前記制約される関連付けアクセスポイントの参照信号受信パワー（ＲＳＲＰ）と、前記オフセットに加えられる前記ターゲットアクセスポイントのものと、比較することによって、少なくとも部分的に前記干渉の予測レベルをコンピュートする、請求項１５に記載のワイヤレス通信装置。
【請求項１７】
前記少なくとも１つのプロセッサは、前記ターゲットアクセスポイントと通信することから生じる前記干渉の予測レベルが前記再選択インジケータをオーバーライドするためのしきい値レベルを超える場合には、より低くランク付けされるターゲットアクセスポイントに関連している異なる干渉の予測レベルをコンピュートするようにさらに構成される、請求項１６に記載のワイヤレス通信装置。
【請求項１８】
前記少なくとも１つのプロセッサは、前記異なる干渉の予測レベルが前記再選択インジケータをオーバーライドするための前記しきい値レベルを超えるということを決定することに少なくとも部分的に基づいて、再選択のために異なる周波数または技術に関して、アクセスポイントを分析するようにさらに構成されている、請求項１７に記載のワイヤレス通信装置。
【請求項１９】
前記少なくとも１つのプロセッサは、前記再選択インジケータを得るとタイマをイニシャライズするようにさらに構成され、前記再選択インジケータは、イントラ周波数再選択が許可されないということを特定する、請求項１３に記載のワイヤレス通信装置。
【請求項２０】
前記少なくとも１つのプロセッサは、前記タイマの終了のときに、前記制約される関連付けアクセスポイントに関連している異なる再選択インジケータを受信するようにさらに構成される、請求項１９に記載のワイヤレス通信装置。
【請求項２１】
前記少なくとも１つのプロセッサは、前記制約される関連付けアクセスポイントが位置づけられるセクタを提供するマクロセル基地局から、前記再選択インジケータを得る、請求項１３に記載のワイヤレス通信装置。
【請求項２２】
前記再選択インジケータは、前記セクタ内で位置づけられる実質的にすべての制約される関連付けアクセスポイントに適用する、請求項２１に記載のワイヤレス通信装置。
【請求項２３】
イントラ周波数再選択が許可されるかどうかを特定する制約される関連付けアクセスポイントに関連している再選択インジケータを受信するための手段と、
ターゲットアクセスポイントと通信することに関連しているオフセットを得るための手段と、
前記再選択インジケータと前記オフセットとに少なくとも部分的に基づいて前記ターゲットアクセスポイントを選択するかどうかを決定するための手段と、
を備える装置。
【請求項２４】
干渉信号強度に少なくとも部分的に基づいて、前記制約される関連付けアクセスポイントと前記ターゲットアクセスポイントとを含んでいる再選択のための複数のアクセスポイントをランク付けするための手段、をさらに備え、前記制約される関連付けアクセスポイントは、前記ターゲットアクセスポイントよりも高くランク付けされる、請求項２３に記載の装置。
【請求項２５】
前記ターゲットアクセスポイントと通信することから生じる、前記制約される関連付けアクセスポイントに対する干渉の予測レベルを推定するための手段と、
をさらに備え、前記決定するための手段は、前記干渉の予測レベルに少なくとも部分的にさらに基づいて前記ターゲットアクセスポイントを選択するかどうかを決定する、請求項２３に記載の装置。
【請求項２６】
前記干渉の予測レベルを推定するための手段は、前記制約される関連付けアクセスポイントの参照信号受信パワー（ＲＳＲＰ）と、前記オフセットに加えられる前記ターゲットアクセスポイントのものと、比較する、請求項２５に記載の装置。
【請求項２７】
前記推定するための手段は、前記ターゲットアクセスポイントと通信することから生じる干渉の予測レベルが前記再選択インジケータをオーバーライドするためのしきい値レベルを超える場合には、より低くランク付けされるターゲットアクセスポイントに関連している異なる干渉の予測レベルをさらに推定する、請求項２６に記載の装置。
【請求項２８】
前記ターゲットアクセスポイントを選択するかどうかを決定するための手段は、前記異なる干渉の予測レベルが前記再選択インジケータをオーバーライドするための前記しきい値レベルを超えるということを決定することに少なくとも部分的に基づいて、再選択のために異なる周波数または技術に関して、アクセスポイントを評価する、請求項２７に記載の装置。
【請求項２９】
前記再選択インジケータを得るとタイマをイニシャライズするための手段、をさらに備え、前記再選択インジケータは、イントラ周波数再選択が許可されないということを特定する、請求項２３に記載の装置。
【請求項３０】
前記再選択インジケータを受信するための手段は、前記タイマの終了のときに、前記制約される関連付けアクセスポイントに関連している異なる再選択インジケータをさらに受信する、請求項２９に記載の装置。
【請求項３１】
前記受信するための手段は、前記制約される関連付けアクセスポイントが位置づけられるセクタを提供するマクロセル基地局から、前記再選択インジケータを受信する、請求項２３に記載の装置。
【請求項３２】
前記再選択インジケータは、前記セクタ内で位置づけられる実質的にすべての制約される関連付けアクセスポイントに関連している、請求項３１に記載の装置。
【請求項３３】
コンピュータプログラムプロダクトであって、
コンピュータ可読媒体を備え、前記コンピュータ可読媒体は、
イントラ周波数再選択が許可されるかどうかを特定する制約される関連付けアクセスポイントに関連している再選択インジケータを少なくとも１つのコンピュータに受信させるためのコードと、
前記制約される関連付けアクセスポイントと同様な周波数領域で動作するターゲットアクセスポイントと通信することによって、前記制約される関連付けアクセスポイントに対して引き起こされる干渉を予測することに関連しているオフセットを前記少なくとも１つのコンピュータに受信させるためのコードと、
前記再選択インジケータと前記オフセットとに基づいて前記ターゲットアクセスポイントを選択するかどうかを前記少なくとも１つのコンピュータに決定させるためのコードと、
を備える、
コンピュータプログラムプロダクト。
【請求項３４】
前記コンピュータ可読媒体は、前記制約される関連付けアクセスポイントと前記ターゲットアクセスポイントとを含んでいる１以上のアクセスポイントを前記少なくとも１つのコンピュータにランク付けさせるためのコード、をさらに備え、前記制約される関連付けアクセスポイントは、前記ターゲットアクセスポイントよりも高くランク付けされる、請求項３３に記載のコンピュータプログラムプロダクト。
【請求項３５】
前記コンピュータ可読媒体は、前記ターゲットアクセスポイントと通信することから生じる、干渉の予測レベルを前記少なくとも１つのコンピュータにコンピュートさせるためのコード、をさらに備え、前記ターゲットアクセスポイントを選択するかどうかを決定することは、前記干渉の予測レベルをコンピュートすることに少なくとも部分的にさらに基づいている、請求項３３に記載のコンピュータプログラムプロダクト。
【請求項３６】
前記干渉の予測レベルを前記少なくとも１つのコンピュータにコンピュートさせるためのコードは、前記制約される関連付けアクセスポイントの参照信号受信パワー（ＲＳＲＰ）と、前記オフセットに加えられる前記ターゲットアクセスポイントのものと、比較することを含む、請求項３５に記載のコンピュータプログラムプロダクト。
【請求項３７】
前記コンピュータ可読媒体は、前記ターゲットアクセスポイントと通信することから生じる前記干渉の予測レベルが前記再選択インジケータをオーバーライドすることのしきい値レベルを超える場合には、より低くランク付けされるターゲットアクセスポイントに関連している異なる干渉の予測レベルを前記少なくとも１つのコンピュータにコンピュートさせるためのコード、をさらに備える、請求項３６に記載のコンピュータプログラムプロダクト。
【請求項３８】
前記コンピュータ可読媒体は、前記異なる干渉の予測レベルが前記再選択インジケータをオーバーライドするための前記しきい値レベルを超えるということを決定することに少なくとも部分的に基づいて、再選択のために異なる周波数または技術に関して、アクセスポイントを前記少なくとも１つのコンピュータに評価させるためのコード、をさらに備える、請求項３７に記載のコンピュータプログラムプロダクト。
【請求項３９】
前記コンピュータ可読媒体は、前記再選択インジケータを受信するとタイマを前記少なくとも１つのコンピュータにイニシャライズさせるためのコード、をさらに備え、前記再選択インジケータは、イントラ周波数再選択が許可されないということを特定する、請求項３３に記載のコンピュータプログラムプロダクト。
【請求項４０】
前記再選択インジケータを前記少なくとも１つのコンピュータに受信させるためのコードは、前記タイマの終了のときに、前記制約される関連付けアクセスポイントに関連している異なる再選択インジケータをさらに受信する、請求項３９に記載のコンピュータプログラムプロダクト。
【請求項４１】
前記コンピュータ可読媒体は、前記制約される関連付けアクセスポイントが位置づけられるセクタを提供するマクロセル基地局から前記再選択インジケータを前記少なくとも１つのコンピュータに受信させるためのコードをさらに備える、請求項３３に記載のコンピュータプログラムプロダクト。
【請求項４２】
前記再選択インジケータは、前記セクタ内で位置づけられる実質的にすべての制約される関連付けアクセスポイントに適用する、請求項４１に記載のコンピュータプログラムプロダクト。
【請求項４３】
イントラ周波数再選択が許可されるかどうかを特定する制約される関連付けアクセスポイントに関連している再選択インジケータを得る、再選択インジケータ受信コンポーネントと、
前記制約される関連付けアクセスポイントと同様な周波数範囲で動作するターゲットアクセスポイントと通信することによって引き起こされる干渉に関連しているオフセットを受信する、干渉予測コンポーネントと、
前記再選択インジケータと前記オフセットとに少なくとも部分的に基づいて前記ターゲットアクセスポイントを選択するかどうかを決定する、アクセスポイント再選択コンポーネントと、
を備える装置。
【請求項４４】
干渉信号強度に少なくとも部分的に基づいて、前記制約される関連付けアクセスポイントと前記ターゲットアクセスポイントとを含んでいる再選択の複数のアクセスポイントをランク付けするアクセスポイント測定コンポーネント、をさらに備え、前記制約される関連付けアクセスポイントは、前記ターゲットアクセスポイントよりも高くランク付けされる、請求項４３に記載の装置。
【請求項４５】
前記ターゲットアクセスポイントと通信することから生じる前記制約される関連付けアクセスポイントに対する干渉の予測レベルを推定する干渉予測コンポーネント、をさらに備え、前記アクセスポイント再選択コンポーネントは、前記干渉の予測レベルに少なくとも部分的にさらに基づいて、前記ターゲットアクセスポイントを選択するかどうかを決定する、請求項４３に記載の装置。
【請求項４６】
前記干渉予測コンポーネントは、前記制約される関連付けアクセスポイントの参照信号受信パワー（ＲＳＲＰ）と、前記オフセットに加えられる前記ターゲットアクセスポイントのものと、さらに比較する、請求項４５に記載の装置。
【請求項４７】
前記干渉予測コンポーネントは、前記ターゲットアクセスポイントと通信することから生じる前記干渉の予測レベルが前記再選択インジケータをオーバーライドするためのしきい値レベルを超える場合には、より低くランク付けされるターゲットアクセスポイントに関連している異なる干渉の予測レベルをさらに推定する、請求項４６に記載の装置。
【請求項４８】
前記アクセスポイント再選択コンポーネントは、前記異なる干渉の予測レベルが前記再選択インジケータをオーバーライドするための前記しきい値レベルを超えるということを決定することに少なくとも部分的に基づいて、再選択のために異なる周波数または技術に関して、アクセスポイントを評価する、請求項４７に記載の装置。
【請求項４９】
前記再選択インジケータを得るとタイマをイニシャライズするタイマコンポーネント、をさらに備え、前記再選択インジケータは、イントラ周波数再選択が許可されないということを特定する、請求項４３に記載の装置。
【請求項５０】
前記再選択インジケータ受信コンポーネントは、前記タイマの終了のときに、前記制約される関連付けアクセスポイントに関連している異なる再選択インジケータをさらに受信する、請求項４９に記載の装置。
【請求項５１】
前記再選択インジケータ受信コンポーネントは、前記制約される関連付けアクセスポイントが位置づけられるセクタを提供するマクロセル基地局から、前記再選択インジケータを受信する、請求項４３に記載の装置。
【請求項５２】
前記再選択インジケータは、前記セクタ内で位置づけられる実質的にすべての制約される関連付けアクセスポイントに関連している、請求項５１に記載の装置。
【請求項５３】
ワイヤレスネットワークにアクセスすることを容易にするためにアクセスポイントと通信することと、
イントラ周波数再選択が許可されるかどうかを特定する前記ワイヤレスネットワークにおける制約される関連付けアクセスポイントに関連している再選択インジケータを評価することと、
前記再選択インジケータに少なくとも部分的に基づいて、再選択のために異なる周波数において、異なるアクセスポイントを分析することと、
を備える方法。
【請求項５４】
再選択のために異なる周波数においてアクセスポイントを分析することは、前記アクセスポイントと通信することから生じる前記制約される関連付けアクセスポイントに対する干渉の推定レベルをコンピュートすることに少なくとも部分的にさらに基づいている、請求項５３に記載の方法。
【請求項５５】
前記干渉の推定レベルをコンピュートすることは、前記制約される関連付けアクセスポイントの参照信号受信パワー（ＲＳＲＰ）と、負のオフセットに基づいた前記アクセスポイントのものと、比較することを含む、請求項５４に記載の方法。
【請求項５６】
前記アクセスポイントから前記負のオフセットを受信すること、をさらに備える請求項５５に記載の方法。
【請求項５７】
アクセスポイントからワイヤレスネットワークアクセスを受信するように、
イントラ周波数再選択が許可されるかどうかを特定する前記ワイヤレスネットワークにおける制約される関連付けアクセスポイントに関連している再選択インジケータを評価するように、
前記再選択インジケータに少なくとも部分的に基づいて、再選択のために異なる周波数において、異なるアクセスポイントを分析するように、
構成された少なくとも１つのプロセッサと；
前記少なくとも１つのプロセッサに結合されるメモリと；
を備えるワイヤレス通信装置。
【請求項５８】
前記少なくとも１つのプロセッサは、前記アクセスポイントと通信することから生じる、前記制約される関連付けアクセスポイントに対する干渉の推定レベルをコンピュートするようにさらに構成されており、前記少なくとも１つのプロセッサは、前記干渉の推定レベルに少なくとも部分的にさらに基づいて、再選択のために異なる周波数においてアクセスポイントを分析する、請求項５７に記載のワイヤレス通信装置。
【請求項５９】
前記少なくとも１つのプロセッサは、前記制約される関連付けアクセスポイントの参照信号受信パワー（ＲＳＲＰ）と、前記オフセットを差し引く前記アクセスポイントのものと、比較することに基づいて、前記干渉の推定レベルをコンピュートする、請求項５８に記載のワイヤレス通信装置。
【請求項６０】
前記少なくとも１つのプロセッサは、前記アクセスポイントから前記オフセットを受信するようにさらに構成されている、請求項５９に記載のワイヤレス通信装置。
【請求項６１】
ワイヤレスネットワークにアクセスすることを容易にするためにアクセスポイントと通信するための手段と、
イントラ周波数再選択が許可されるかどうかを特定する前記ワイヤレスネットワークにおける制約される関連付けアクセスポイントに関連している再選択インジケータを受信するための手段と、
前記再選択インジケータに少なくとも部分的に基づいて、再選択のために異なる周波数または技術において、異なるアクセスポイントを分析するための手段と、
を備える装置。
【請求項６２】
前記アクセスポイントと通信することから生じる、前記制約される関連付けアクセスポイントに対する干渉の推定レベルをコンピュートするための手段、をさらに備え、前記異なるアクセスポイントを分析するための手段は、前記干渉の推定レベルに少なくとも部分的にさらに基づいて、再選択のために異なる周波数においてアクセスポイントを分析する、請求項６１に記載の装置。
【請求項６３】
前記干渉の推定レベルをコンピュートするための手段は、前記制約される関連付けアクセスポイントの参照信号受信パワー（ＲＳＲＰ）と、前記オフセットを加える前記アクセスポイントのものと、比較することに少なくとも部分的に基づいてコンピュートする、請求項６２に記載の装置。
【請求項６４】
前記干渉の推定レベルをコンピュートするための手段は、前記アクセスポイントから前記負のオフセットを受信する、請求項６３に記載の装置。
【請求項６５】
コンピュータプログラムプロダクトであって、コンピュータ可読媒体を備え、前記コンピュータ可読媒体は、
ワイヤレスネットワークにアクセスすることを容易にするために、少なくとも１つのコンピュータに、アクセスポイントと通信させるためのコードと、
イントラ周波数再選択が許可されるかどうかを特定する前記ワイヤレスネットワークにおける制約される関連付けアクセスポイントに関連している再選択インジケータを前記少なくとも１つのコンピュータに評価させるためのコードと、
前記再選択インジケータに少なくとも部分的に基づいて、再選択のために異なる周波数において、異なるアクセスポイントを前記少なくとも１つのコンピュータに分析させるためのコードと、
を備える、
コンピュータプログラムプロダクト。
【請求項６６】
再選択のために異なる周波数においてアクセスポイントを分析することは、前記アクセスポイントと通信することから生じる前記制約される関連付けアクセスポイントに対する干渉の推定レベルをコンピュートすることに少なくとも部分的にさらに基づいている、請求項６５に記載のコンピュータプログラムプロダクト。
【請求項６７】
前記干渉の推定レベルをコンピュートすることは、前記制約される関連付けアクセスポイントの参照信号受信パワー（ＲＳＲＰ）と、負のオフセットに基づいたアクセスポイントのものと、比較することを含む、請求項６６に記載のコンピュータプログラムプロダクト。
【請求項６８】
前記コンピュータ可読媒体は、前記アクセスポイントから前記負のオフセットを前記少なくとも１つのコンピュータに受信させるためのコードをさらに備える、請求項６７に記載のコンピュータプログラムプロダクト。
【請求項６９】
イントラ周波数再選択が許可されるかどうかを特定する前記ワイヤレスネットワークにおける制約される関連付けアクセスポイントに関連している再選択インジケータを受信する、再選択インジケータ受信コンポーネントと、
前記再選択インジケータに少なくとも部分的に基づいて、現在のアクセスポイントから再選択のために異なる周波数または技術において異なるアクセスポイントを評価する、アクセスポイント再選択コンポーネントと、
を備える装置。
【請求項７０】
前記現在のアクセスポイントと通信することから生じる、前記制約される関連付けアクセスポイントに対する干渉レベルを推定する干渉予測コンポーネント、をさらに備え、前記アクセスポイント再選択コンポーネントは、前記干渉の推定レベルに少なくとも部分的にさらに基づいて、再選択のために異なる周波数においてアクセスポイントを評価する、請求項６９に記載の装置。
【請求項７１】
前記干渉予測コンポーネントは、前記制約される関連付けアクセスポイントの参照信号受信パワー（ＲＳＲＰ）と、負のオフセットを加える前記アクセスポイントのものと、比較することに少なくとも部分的に基づいて前記干渉レベルを推定する、請求項７０に記載の装置。
【請求項７２】
前記干渉予測コンポーネントは、前記アクセスポイントから前記負のオフセットを受信する、請求項７１に記載の装置。
【請求項７３】
ワイヤレスネットワークに対するアクセスを受信するために１以上のモバイルデバイスによって選択可能な１以上のセクタを提供することと、
前記１以上のセクタにおいて異なるアクセスポイントについてイントラ周波数再選択が許可されるかどうか特定する再選択インジケータを前記１以上のセクタにおいて１以上のモバイルデバイスに対して送信することと、
を備える方法。
【請求項７４】
制約される関連付けを表示するために前記１以上のセクタにおいて前記１以上のモバイルデバイスに対してクローズド加入者グループ（ＣＳＧ）識別子を送信すること、をさらに備える請求項７３に記載の方法。
【請求項７５】
前記再選択インジケータは、前記１以上のセクタにおいて位置づけられる１以上の制約される関連付けアクセスポイントに関連している、請求項７３に記載の方法。
【請求項７６】
前記再選択インジケータについてのリクエストを受信すること、をさらに備える請求項７３に記載の方法。
【請求項７７】
基盤ワイヤレスネットワークから、前記再選択インジケータについてのリクエストを受信すること、をさらに備える請求項７３に記載の方法。
【請求項７８】
前記１以上のセクタ内でイントラ周波数アクセスポイントと通信する異なるモバイルデバイスからの以前の干渉をファクタリングすることに少なくとも部分的に基づいて、前記再選択インジケータを生成すること、をさらに備える請求項７３に記載の方法。
【請求項７９】
ワイヤレスネットワークに対するアクセスを受信するために１以上のモバイルデバイスによって選択可能な１以上のセクタをインプリメントするように、
前記１以上のセクタにおいて異なるアクセスポイントについてイントラ周波数再選択が許可されるかどうか特定する再選択インジケータを前記１以上のセクタにおいて１以上のモバイルデバイスに対して提供するように、
構成された少なくとも１つのプロセッサと；
前記少なくとも１つのプロセッサに対して結合されるメモリと；
を備えるワイヤレス通信装置。
【請求項８０】
前記少なくとも１つのプロセッサは、制約される関連付けを表示するために前記１以上のセクタにおいて１以上のモバイルデバイスに対してクローズド加入者グループ（ＣＳＧ）識別子を提供するようにさらに構成される、請求項７９に記載のワイヤレス通信装置。
【請求項８１】
前記再選択インジケータは、前記１以上のセクタにおいて位置づけられる１以上の制約される関連付けアクセスポイントに関連している、請求項７９に記載のワイヤレス通信装置。
【請求項８２】
前記少なくとも１つのプロセッサは、前記１以上のモバイルデバイスから前記再選択インジケータについてのリクエストを受信するようにさらに構成されている、請求項７９に記載のワイヤレス通信デバイス。
【請求項８３】
前記少なくとも１つのプロセッサは、基盤ワイヤレスネットワークから、前記再選択インジケータを受信するようにさらに構成されている、請求項７９に記載のワイヤレス通信デバイス。
【請求項８４】
前記少なくとも１つのプロセッサは、前記１以上のセクタ内でイントラ周波数アクセスポイントと通信する異なるモバイルデバイスからの以前の干渉をファクタリングすることに少なくとも部分的に基づいて、前記再選択インジケータを生成するようにさらに構成される、請求項７９に記載のワイヤレス通信装置。
【請求項８５】
ワイヤレスネットワークに対するアクセスを提供するために、提供されるセクタにおいて１以上のモバイルデバイスと通信するための手段と、
前記１以上のセクタにおいて異なるアクセスポイントについてイントラ周波数再選択が許可されるかどうか特定する再選択インジケータを前記１以上のモバイルデバイスに対して送信するための手段と、
を備える装置。
【請求項８６】
制約される関連付けを表示するために前記提供されるセクタにおいて、前記１以上のモバイルデバイスに対してクローズド加入者グループ（ＣＳＧ）識別子を提供するための手段、
をさらに備える請求項８５に記載の装置。
【請求項８７】
前記再選択インジケータは、前記提供されるセクタにおいて位置づけられる１以上の制約される関連付けアクセスポイントに関連している、請求項８５に記載の装置。
【請求項８８】
前記再選択インジケータコンポーネントを送信するための手段は、前記１以上のモバイルデバイスから、前記再選択インジケータについてのリクエストを受信する、請求項８５に記載の装置。
【請求項８９】
前記再選択インジケータコンポーネントを送信するための手段は、基盤ワイヤレスネットワークから、前記再選択インジケータを受信する、請求項８５に記載の装置。
【請求項９０】
前記再選択インジケータを送信するための手段は、前記提供されるセクタ内でイントラ周波数アクセスポイントと通信する異なるモバイルデバイスからの以前の干渉をファクタリングすることに少なくとも部分的に基づいて、前記再選択インジケータを生成する、請求項８５に記載の装置。
【請求項９１】
コンピュータプログラムプロダクトであって、コンピュータ可読媒体を備え、前記コンピュータ可読媒体は、
ワイヤレスネットワークに対するアクセスを受信するために１以上のモバイルデバイスによって選択可能な１以上のセクタを少なくとも１つのコンピュータに提供させるためのコードと、
前記１以上のセクタにおける異なるアクセスポイントについてイントラ周波数再選択が許可されるかどうか特定する再選択インジケータを前記１以上のセクタにおいて１以上のモバイルデバイスに対して前記少なくとも１つのコンピュータに送信させるためのコードと、
を備える、
コンピュータプログラムプロダクト。
【請求項９２】
前記コンピュータ可読媒体は、制約される関連付けを表示するために前記１以上のセクタにおいて前記１以上のモバイルデバイスに対してクローズド加入者グループ（ＣＳＧ）識別子を前記少なくとも１つのコンピュータに送信させるためのコード、をさらに備える、請求項９１に記載のコンピュータプログラムプロダクト。
【請求項９３】
前記再選択インジケータは、前記１以上のセクタにおいて位置づけられる１以上の制約される関連付けアクセスポイントに関連している、請求項９１に記載のコンピュータプログラムプロダクト。
【請求項９４】
前記コンピュータ可読媒体は、前記再選択インジケータについてのリクエストを前記少なくとも１つのコンピュータに受信させるためのコード、をさらに備える、請求項９１に記載のコンピュータプログラムプロダクト。
【請求項９５】
前記コンピュータ可読媒体は、基盤ワイヤレスネットワークから前記再選択インジケータを前記少なくとも１つのコンピュータに受信させるためのコード、をさらに備える、請求項９１に記載のコンピュータプログラムプロダクト。
【請求項９６】
前記コンピュータ可読媒体は、前記１以上のセクタ内でイントラ周波数アクセスポイントと通信する異なるモバイルデバイスからの以前の干渉をファクタリングすることに少なくとも部分的に基づいて、前記再選択インジケータを前記少なくとも１つのコンピュータに生成させるためのコード、をさらに備える、請求項９１に記載のコンピュータプログラムプロダクト。
【請求項９７】
ワイヤレスネットワークに対するアクセスを提供するために、提供されるセクタにおいて１以上のモバイルデバイスと通信するための送信機と、
前記１以上のセクタにおける異なるアクセスポイントについてイントラ周波数再選択が許可されるかどうか特定する再選択インジケータを前記１以上のモバイルデバイスに対して提供する再選択インジケータコンポーネントと、
備える装置。
【請求項９８】
制約される関連付けを表示するために前記提供されるセクタにおいて、前記１以上のモバイルデバイスに対してクローズド加入者グループ（ＣＳＧ）識別子を提供する制約される関連付けコンポーネント、をさらに備える請求項９７に記載の装置。
【請求項９９】
前記再選択インジケータは、前記提供されるセクタにおいて位置づけられる１以上の制約される関連付けアクセスポイントに関連している、請求項９７に記載の装置。
【請求項１００】
前記再選択インジケータコンポーネントは、前記１以上のモバイルデバイスから、前記再選択インジケータについてのリクエストを受信する、請求項９７に記載の装置。
【請求項１０１】
前記再選択インジケータコンポーネントは、基盤ワイヤレスネットワークから、前記再選択インジケータを受信する、請求項９７に記載の装置。
【請求項１０２】
前記再選択インジケータコンポーネントは、前記提供されるセクタ内でイントラ周波数アクセスポイントと通信する異なるモバイルデバイスからの以前の干渉をファクタリングすることに少なくとも部分的に基づいて、前記再選択インジケータを生成する、請求項９７に記載の装置。
【請求項１０３】
ワイヤレスネットワークに対するアクセスを受信するために１以上のモバイルデバイスによって選択可能な１以上のセクタを提供することと、
イントラ周波数再選択が許可されるかどうかを特定する制約される関連付けアクセスポイントから受信される再選択インジケータをオーバーライドすることに関してモバイルデバイスに対してオフセットを送信することと、
を備える方法。
【請求項１０４】
前記モバイルデバイスに対してワイヤレスネットワークアクセスを提供すること、をさらに備え、前記オフセットは負のオフセットである、請求項１０３に記載の方法。
【請求項１０５】
ワイヤレスネットワークに対するアクセスを受信するために１以上のモバイルデバイスによって選択可能な１以上のセクタをインプリメントするように、
イントラ周波数再選択が許可されるかどうかを特定する制約される関連付けアクセスポイントから受信される再選択インジケータをオーバーライドすることに関してモバイルデバイスに対してオフセットを提供するように、
構成された少なくとも１つのプロセッサと；
前記少なくとも１つのプロセッサに結合されるメモリと；
を備えるワイヤレス通信装置。
【請求項１０６】
前記少なくとも１つのプロセッサは、前記モバイルデバイスに対してワイヤレスネットワークアクセスを提供するようにさらに構成され、前記オフセットは負のオフセットである、請求項１０５に記載のワイヤレス通信装置。
【請求項１０７】
ワイヤレスネットワークにおいて１以上のモバイルデバイスと通信するための手段と、
イントラ周波数再選択が許可されるかどうかを特定する制約される関連付けアクセスポイントから受信される再選択インジケータをオーバーライドすることに関してモバイルデバイスに対してオフセットを送信するための手段と、
を備える装置。
【請求項１０８】
前記通信するための手段は、前記モバイルデバイスに対してワイヤレスネットワークアクセスを提供し、前記オフセットは負のオフセットである、請求項１０７に記載の装置。
【請求項１０９】
コンピュータプログラムプロダクトであって、コンピュータ可読媒体を備え、前記コンピュータ可読媒体は、
ワイヤレスネットワークに対するアクセスを受信するために１以上のモバイルデバイスによって選択可能な１以上のセクタを少なくとも１つのコンピュータに提供させるためのコードと、
イントラ周波数再選択が許可されるかどうかを特定する制約される関連付けアクセスポイントから受信される再選択インジケータをオーバーライドすることに関してモバイルデバイスに対してオフセットを少なくとも１つのコンピュータに送信させるためのコードと、
を備える、
コンピュータプログラムプロダクト。
【請求項１１０】
前記コンピュータ可読媒体は、前記モバイルデバイスに対してワイヤレスネットワークアクセスを前記少なくとも１つのコンピュータに提供させるためのコード、をさらに備え、前記オフセットは、負のセットである、請求項１０９に記載のコンピュータプログラムプロダクト。
【請求項１１１】
ワイヤレスネットワークにおいて１以上のモバイルデバイスと通信するための送信機と、
イントラ周波数再選択が許可されるかどうかを特定する制約される関連付けアクセスポイントから受信される再選択インジケータをオーバーライドすることに関してモバイルデバイスに対してオフセットを送信する干渉オフセットコンポーネントと、
を備える装置。
【請求項１１２】
前記装置は、前記モバイルデバイスに対してワイヤレスネットワークアクセスを提供し、前記オフセットは負のオフセットである、請求項１１１に記載の装置。
【発明の詳細な説明】
【優先権主張】
【０００１】
(米国特許法の下の優先権主張)
本願は、２００８年８月８日に出願され、ここでの譲受人に対して譲渡され、ここにおける参照によってここで明示的に組み込まれ、「マクロセルミックスキャリアの場合のイントラ周波数セル再選択の制約(INTRA-FREQUENCY CELL RESELECTION RESTRICTION IN CASE OF MACRO CELL MIXED CARRIER)」と題される仮出願番号第６１／０８７，５３４号と、２００８年１１月７日に出願され、ここでの譲受人に対して譲渡され、ここにおける参照によってここで明示的に組み込まれ、「アイドルモビリティのためにイントラ周波数再選択オーバーライドを送るための方法及び装置(METHOD AND APPARATUS FOR SENDING AN INTRA-FREQUENCY RESELECTION OVERRIDE FOR IDLE MOBILITY)」と題される仮出願番号第６１／１１２，２１９号と、の優先権を主張する。
【背景】
【０００２】
（分野）
下記の説明は、一般的にワイヤレス通信に関し、より具体的には、イントラ周波数セル再選択を制約すること(restricting)に関する。
【０００３】
(背景)
ワイヤレス通信システムは、例えばボイス、データなどのような様々なタイプの通信コンテンツを提供するように広く展開されている。一般的なワイヤレス通信システムは、利用可能なシステムリソース（例、帯域幅及び伝送パワー）を共有することによって、複数ユーザとの通信をサポートすることができる多元接続システムであってもよい。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、及び同様なものを含むことができる。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）、のような仕様書及び／または、最適化されるエボリューションデータ（ＥＶ−ＤＯ）のようなマルチキャリアワイヤレス仕様書、その１以上のレビジョン等にあわせることができる。
【０００４】
一般的に、ワイヤレス多元接続通信システムは、マルチプルのモバイルデバイスのための通信を同時にサポートすることができる。各モバイルデバイスは、順方向リンク及び逆方向リンク上の送信を介して、１以上のアクセスポイント（例、基地局）と通信することができる。順方向リンク（あるいはダウンリンク）は、アクセスポイントからモバイルデバイスまでの通信リンクを指し、逆方向リンク（あるいはアップリンク）はモバイルデバイスからアクセスポイントまでの通信リンクを指す。さらにモバイルデバイス及びアクセスポイント間の通信リンクは、シングルインプットシングルアウトプット（ＳＩＳＯ）システム、マルチプルインプットシングルアウトプット（ＭＩＳＯ）システム、マルチプルインプットマルチプルアウトプット（ＭＩＭＯ）システム、などを介して確立されることができる。さらに、モバイルデバイスは、他のモバイルデバイスと（及び／または、アクセスポイントは、他のアクセスポイントと）ピア・ツー・ピアワイヤレスネットワーク構成において、通信することができる。
【０００５】
モバイルデバイスは、ワイヤレスネットワークに対するシームレス接続を実現する通信のために、様々なアクセスポイントを再選択してワイヤレスネットワークの全体にわたって移動することができる。さらに、様々なタイプの近隣アクセスポイントは、ワイヤレスネットワークにおいて共通の周波数で展開されることができる。例えば、マクロセル基地局と通信しているモバイルデバイスは、フェムトセルの範囲内で移動すると、近隣イントラ周波数フェムトセルに対して再選択することができる。再選択のためにアクセスポイントを選択することにおいて、モバイルデバイスは、周囲のイントラ周波数アクセスポイント(surrounding intra-frequency access points)を測定し、望ましい通信パラメータ(例、信号強度、信号品質、等)でアクセスポイントを選ぶことができる。
【０００６】
しかしながら、いくつかのアクセスポイントは、あるモバイルデバイスがアクセスポイントに接続することができないように、制約される関連付け(restricted association)をインプリメントすることができる。モバイルデバイスが、制約される関連付けにより、それが再選択において最も望ましいアクセスポイントに対して接続することができないということを決定する場合には、それは、それが接続することができるものに出くわすまで、次に最も望ましいアクセスポイントを評価することができる。しかしながら、このことは、モバイルデバイスが制約される関連付けアクセスポイント(restricted association access point)の近くに配置される可能性があり、次に最も望ましいアクセスポイントと通信するので、制約される関連付けアクセスポイントにわたって干渉を引き起こす可能性がある。モバイルデバイスからの干渉が強い極端な場合、これは、他のデバイスが制約される関連付けアクセスポイントと通信することを抑制することができる。
【発明の概要】
【０００７】
以下は、そのような態様の基本的な理解を提供するために、1つまたは複数の態様の簡略な概要(summary)を提示する。この概要は、すべての熟考された態様の広範囲な全体像ではなく、すべての態様の重要なあるいは決定的なエレメントを識別することも、あるいは、いずれあるいはすべての態様の範囲を詳細に描写することも、意図されていない。その唯一の目的は、後で示される、より詳細な説明の前置きとして、簡略化された形で1つまたは複数の態様のいくつかの概念(concepts)を示すことである。
【０００８】
１つまたは複数の態様およびその対応する開示に従って、様々な態様は、ワイヤレス通信においてイントラ周波数再選択を制約することを容易にすることに関連して記載される。例えば、現在のアクセスポイントからの再選択のためにアクセスポイントを分析するまたはランク付けする(ranking)とき、モバイルデバイスは、制約される関連付けアクセスポイント(一例では、現在のアクセスポイント及び/または異なる高くランク付けされるアクセスポイント)によってイントラ周波数再選択が許可されるかどうかを決定するためにインジケータを評価することができる。イントラ周波数の再選択が許可される(allowed)場合には、モバイルデバイスは、最も高いランクの選択可能なアクセスポイント(a highest ranked selectable access points)に対して再選択することができる。イントラ周波数の再選択が許可されない(not allowed)場合には、モバイルデバイスは、同じ周波数上で動作するアクセスポイントに対して再選択することができない、このことはさらなる考慮(additional considerations)の影響を受ける可能性がある。例えば、モバイルデバイスは、高くランク付けされた選択可能なアクセスポイントと通信することにおいてそのプロジェクトされる干渉(projected interference)を決定することができ、そして、そのプロジェクトされる干渉がしきい値を下回る場合には、現在のアクセスポイントによって特定されるイントラ周波数再選択の制約を無視する。さらに、制約インジケータの評価は、モバイルデバイスが再選択することができるときを決定するために、タイマにしたがって生じることができる。さらにインジケータは、一例において、グローバル、及び/または、モバイルデバイス特有、であることができる。
【０００９】
関連態様にしたがって、イントラ周波数再選択が許可されるかどうかを特定する制約される関連付けアクセスポイントに関連している再選択インジケータ(reselection indicator)を受信することを含んでいる方法が提供される。方法はまた、制約される関連付けアクセスポイントと同様な周波数領域で動作するターゲットアクセスポイント(target access point)と通信することによって、制約される関連付けアクセスポイントに対して引き起こされる干渉を予測することに関連しているオフセットを受信することと、再選択インジケータとオフセットとに基づいて、制約される関連付けアクセスポイントと同様な周波数領域において動作するターゲットアクセスポイントを選択するかどうかを決定することと、を含む。
【００１０】
別の態様は、ワイヤレス通信装置(wireless communications apparatus)に関する。ワイヤレス通信装置は、イントラ周波数アクセスポイント再選択が許可されるかどうかを特定する制約される関連付けアクセスポイントに関連している再選択インジケータを得るように構成された少なくとも1つのプロセッサを含むことができる。プロセッサは、制約される関連付けアクセスポイントと同様な周波数領域で動作するターゲットアクセスポイントと通信することから引き起こされる潜在的な干渉に関連しているオフセットを受信するように、そして、再選択インジケータとオフセットとに少なくとも部分的に基づいてターゲットアクセスポイントを選択するかどうかを決定するように、さらに構成されている。ワイヤレス通信装置はまた、少なくとも1つのプロセッサに結合されるメモリを備える。
【００１１】
さらに別の態様は、イントラ周波数再選択が許可されるかどうかを特定する制約される関連付けアクセスポイントに関連している再選択インジケータを受信するための手段と、ターゲットアクセスポイントと通信することに関連しているオフセットを得るための手段と、を備えているワイヤレス通信装置に関する。ワイヤレス通信装置は、さらに、再選択インジケータとオフセットとに少なくとも部分的に基づいてターゲットアクセスポイントを選択するかどうかを決定するための手段を含むことができる。
【００１２】
さらに別の態様は、コンピュータプログラムプロダクト(computer program product)に関連しており、そしてそれは、イントラ周波数再選択が許可されるかどうかを特定する制約される関連付けアクセスポイントに関連している再選択インジケータを少なくとも1つのコンピュータに受信させるためのコード、を含んでいるコンピュータ可読媒体(computer-readable medium)を有することができる。コンピュータ可読媒体は、制約される関連付けアクセスポイントと同様な周波数領域で動作するターゲットアクセスポイントと通信することによって、制約される関連付けアクセスポイントに対して引き起こされる干渉を予測することに関連しているオフセットを少なくとも1つのコンピュータに受信させるためのコード、もまた備えることができる。さらに、コンピュータ可読媒体は、再選択インジケータとオフセットとに基づいてターゲットアクセスポイントを選択するかどうかを少なくとも1つのコンピュータに決定させるためのコード、を含む。
【００１３】
さらに、さらなる態様は、装置(apparatus)に関する。装置は、イントラ周波数再選択が許可されるかどうかを特定する制約される関連付けアクセスポイントに関連している再選択インジケータを得る、再選択インジケータ受信コンポーネント(reselection indicator receiving component)を含むことができる。装置は、制約される関連付けアクセスポイントと同様な周波数範囲で動作するターゲットアクセスポイントと通信することによって引き起こされる干渉に関連しているオフセットを受信する、干渉予測コンポーネント(interference prediction component)と、再選択インジケータとオフセットとに少なくとも部分的に基づいてターゲットアクセスポイントを選択するかどうかを決定する、アクセスポイント再選択コンポーネント(access point reselection component)と、をさらに含むことができる。
【００１４】
他の態様によると、ワイヤレスネットワークにアクセスすることを容易にするためにアクセスポイントと通信することと、イントラ周波数再選択が許可されるかどうかを特定するワイヤレスネットワークにおける制約される関連付けアクセスポイントに関連している再選択インジケータを評価することと、を含んでいる方法が提供される。方法はまた、再選択インジケータに少なくとも部分的に基づいて、再選択のために異なる周波数において、異なるアクセスポイントを分析することを含む。
【００１５】
別の態様は、ワイヤレス通信装置に関する。ワイヤレス通信装置は、アクセスポイントからワイヤレスネットワークアクセスを受信するように、イントラ周波数再選択が許可されるかどうかを特定するワイヤレスネットワークにおける制約される関連付けアクセスポイントに関連している再選択インジケータを評価するように、構成されたた少なくとも1つのプロセッサを含むことができる。プロセッサは、再選択インジケータに少なくとも部分的に基づいて、再選択のために異なる周波数において、異なるアクセスポイントを分析するようにさらに構成される。ワイヤレス通信装置はまた、少なくとも1つのプロセッサに結合されるメモリを備える。
【００１６】
さらに、別の態様は、ワイヤレスネットワークにアクセスすることを容易にするためにアクセスポイントと通信するための手段と、イントラ周波数再選択が許可されるかどうかを特定するワイヤレスネットワークにおける制約される関連付けアクセスポイントに関連している再選択インジケータを受信するための手段と、を備えているワイヤレス通信装置に関する。ワイヤレス通信装置は、再選択インジケータに少なくとも部分的に基づいて、再選択のために異なる周波数または技術において、異なるアクセスポイントを分析するための手段、をさらに含むことができる。
【００１７】
さらに別の態様はコンピュータプログラムプロダクトに関しており、それは、ワイヤレスネットワークにアクセスすることを容易にするために、少なくとも1つのコンピュータにアクセスポイントと通信させるためのコード、を含むコンピュータ可読媒体を有することができる。コンピュータ可読媒体はまた、イントラ周波数再選択が許可されるかどうかを特定するワイヤレスネットワークにおける制約される関連付けアクセスポイントに関連している再選択インジケータを少なくとも１つのコンピュータに評価させるためのコードと、再選択インジケータに少なくとも部分的に基づいて、再選択のために異なる周波数において、異なるアクセスポイントを少なくとも1つのコンピュータに分析させるためのコードと、を備えることができる。
【００１８】
さらに、さらなる態様は、装置に関する。装置は、イントラ周波数再選択が許可されるかどうかを特定するワイヤレスネットワークにおける制約される関連付けアクセスポイントに関連している再選択インジケータを受信する、再選択インジケータ受信コンポーネントを含むことができる。装置は、再選択インジケータに少なくとも部分的に基づいて、現在のアクセスポイントから、再選択のために異なる周波数または技術において異なるアクセスポイントを評価する、アクセスポイント再選択コンポーネントをさらに含むことができる。
【００１９】
他の態様によると、ワイヤレスネットワークに対するアクセスを受信するために１以上のモバイルデバイスによって選択可能な１以上のセクタを提供すること、を含んでいる方法が提供される。方法はまた、１以上のセクタにおける異なるアクセスポイントについてイントラ周波数再選択が許可されるかどうか特定する再選択インジケータを１以上のセクタにおいて１以上のモバイルデバイスに対して送信すること、を含む。
【００２０】
別の態様は、ワイヤレス通信装置に関する。ワイヤレス通信装置は、ワイヤレスネットワークに対するアクセスを受信するために1以上のモバイルデバイスによって選択可能な1以上のセクタをインプリメントするように構成された少なくとも１つのプロセッサを含むことができる。プロセッサは、１以上のセクタにおける異なるアクセスポイントについてイントラ周波数再選択が許可されるかどうか特定する再選択インジケータを1以上のセクタにおいて1以上のモバイルデバイスに対して提供するように、さらに構成されている。ワイヤレス通信装置はまた、少なくとも1つのプロセッサに結合されるメモリ、を備える。
【００２１】
さらに別の態様は、ワイヤレスネットワークに対するアクセスを提供するために、提供されるセクタにおいて1以上のモバイルデバイスと通信するための手段を備えるワイヤレス通信装置に関する。ワイヤレス通信装置は、イントラ周波数再選択が1以上のセクタにおける異なるアクセスポイントについて許可されるかどうか特定する再選択インジケータを１以上のモバイルデバイスに対して送信するための手段、をさらに含むことができる。
【００２２】
さらに別の態様は、コンピュータプログラムプロダクトに関しており、それは、ワイヤレスネットワークに対するアクセスを受信するために1以上のモバイルデバイスによって選択可能な1以上のセクタを少なくとも1つのコンピュータに提供させるためのコード、を含むコンピュータ可読媒体を有することができる。コンピュータ可読媒体はまた、イントラ周波数再選択が1以上のセクタにおいて異なるアクセスポイントについて許可されるかどうか特定する再選択インジケータを1以上のセクタにおいて1以上のモバイルデバイスに対して少なくとも1つのコンピュータに送信させるためのコードを備えることができる。
【００２３】
さらに、さらなる態様は、装置に関する。装置は、ワイヤレスネットワークに対するアクセスを提供するために、提供されるセクタにおいて1以上のモバイルデバイスと通信するための送信機を含むことができる。装置は、イントラ周波数再選択が1以上のセクタにおける異なるアクセスポイントについて許可されるかどうか特定する再選択インジケータを１以上のモバイルデバイスに対して提供する、再選択インジケータコンポーネントをさらに含むことができる。
【００２４】
他の態様によると、ワイヤレスネットワークに対するアクセスを受信するために1以上のモバイルデバイスによって選択可能な1以上のセクタを提供することを含んでいる方法が提供されている。方法はまた、イントラ周波数再選択が許可されるかどうかを特定する制約される関連付けアクセスポイントから受信される再選択インジケータをオーバーライドすることに関してモバイルデバイスに対してオフセットを送信することを含む。
【００２５】
別の態様は、ワイヤレス通信装置に関する。ワイヤレス通信装置は、ワイヤレスネットワークに対するアクセスを受信するために１以上のモバイルデバイスによって選択可能な１以上のセクタをインプリメントするように構成された少なくとも１つのプロセッサを含むことができる。プロセッサは、論理グルーピング１６０２は、イントラ周波数再選択が許可されるかどうかを特定する制約される関連付けアクセスポイントから受信される再選択インジケータをオーバーライドすることに関してモバイルデバイスに対してオフセットを提供するようにさらに構成される。ワイヤレス通信装置はまた、少なくとも１つのプロセッサに結合されるメモリ、を備える。
【００２６】
さらに別の態様は、ワイヤレスネットワークにおける１以上のモバイルデバイスと通信するための手段、を備えるワイヤレス通信装置に関する。ワイヤレス通信装置は、イントラ周波数再選択が許可されるかどうかを特定する制約される関連付けアクセスポイントから受信される再選択インジケータをオーバーライドすることに関してモバイルデバイスに対してオフセットを送信するための手段、をさらに含むことができる。
【００２７】
さらに別の態様は、コンピュータプログラムプロダクトに関しており、それは、ワイヤレスネットワークに対するアクセスを受信するために1以上のモバイルデバイスによって選択可能な1以上のセクタを少なくとも1つのコンピュータに提供させるためのコード、を含むコンピュータ可読媒体を有することができる。コンピュータ可読媒体はまた、イントラ周波数再選択が許可されるかどうかを特定する制約される関連付けアクセスポイントから受信される再選択インジケータをオーバーライドすることに関してモバイルデバイスに対してオフセットを少なくとも1つのコンピュータに送信させるためのコード、を備えることができる。
【００２８】
さらに、さらなる態様は、装置に関する。装置は、ワイヤレスネットワークにおいて1以上のモバイルデバイスと通信するための送信機を含むことができる。装置は、イントラ周波数再選択が許可されるかどうかを特定する制約される関連付けアクセスポイントから受信される再選択インジケータをオーバーライドすることに関してモバイルデバイスに対してオフセットを送信する、干渉オフセットコンポーネント、をさらに含むことができる。
【００２９】
前述及び関連の目的の達成のために、1つまたは複数の態様は、ここで十分に説明され、特許請求の範囲で特に指摘された特徴を備えることができる。下記の説明及び添付図面は、1つまたは複数の態様のある説明のための特徴を詳細に記載している。しかしながら、これらの特徴は、様々な態様の原理が利用されることができるいくつかの様々な方法を示しているが、この説明は、すべてのそのような態様及びそれらの均等物(equivalents)を含むように意図されている。
【図面の簡単な説明】
【００３０】
【図１】図１は、ここにおいて記載される様々な態様に従って、ワイヤレス通信ネットワークの図である。
【図２】図２は、ここにおいて記載される態様に従って、ワイヤレス通信ネットワークの図である。
【図３】図３は、ワイヤレス通信環境内の利用のための例示的な通信装置の図である。
【図４】図４は、アクセスポイント再選択において、再選択インジケータを使用することを実現する例示的なワイヤレス通信システムの図である。
【図５】図５は、再選択インジケータに基づいてアクセスポイントを再選択することを容易にする例示的な方法の図である。
【図６】図６は、再選択インジケータに基づいて異なる周波数におけるアクセスポイントを再選択することを容易にする例示的な方法の図である。
【図７】図７は、再選択可能なアクセスポイントを決定するために再選択インジケータを評価する例示的な方法の図である。
【図８】図８は、１以上のモバイルデバイスに対して再選択インジケータを提供することを容易にする例示的な方法の図である。
【図９】図９は、再選択インジケータをオーバーライドするかどうかを決定するために、予測される干渉レベルオフセットを提供することを容易にする例示的な方法の図である。
【図１０】図１０は、再選択インジケータを受信することを容易にする例示的なモバイルデバイスの図である。
【図１１】図１１は、再選択インジケータ及び／または干渉レベルオフセットを提供する例示的なシステムの図である。
【図１２】図１２は、ここにおいて記載される様々なシステム及び方法と共に利用されることができる例示的なワイヤレスネットワーク環境の図である。
【図１３】図１３は、１以上のアクセスポイントを再選択するかどうかを決定することにおいて再選択インジケータを利用する例示的なシステムの図である。
【図１４】図１４は、現在のアクセスポイントと通信することを継続するかどうかを決定するために再選択インジケータを利用する例示的なシステムの図である。
【図１５】図１５は、１以上のモバイルデバイスに対して再選択インジケータを提供する例示的なシステムの図である。
【図１６】図１６は、１以上のモバイルデバイスに対して干渉レベルオフセットを提供する例示的なシステムの図である。
【詳細な説明】
【００３１】
様々な態様が、図面を参照して説明されている。次の説明では、説明の目的のために、多くの具体的な詳細が、1つまたは複数の態様の完全な理解を提供するために記載されている。しかしながら、そのような態様(単数または複数)はこれらの特定の詳述なしに、実行されることができるということは、明白である。
【００３２】
本願で使用されているように、用語「コンポーネント(component)」、「モジュール(module)」、「システム(system)」及び同様なものは、例えば、ハードウェア、ファームウェア、ハードウェアとソフトウェアの組み合わせ、ソフトウェア、あるいは実行中のソフトウェア、のようなコンピュータ関連のエンティティを含むように意図されている。例えば、コンポーネントは、限定されてはいないが、プロセッサ上で実行しているプロセス、プロセッサ、オブジェクト(object)、実行ファイル(executable)、実行スレッド(thread of execution)、プログラム、及び/またはコンピュータ、であってもよい。例として、通信デバイス上で実行中のアプリケーションとコンピューティングデバイスの両方はコンポーネントであることができる。１つまたは複数のコンポーネントは、プロセス及び/または実行スレッド内に常駐(reside)することができ、また、コンポーネントは、1つのコンピュータ上に局在化されてもよいし、及び/または２以上のコンピュータの間で分散され(distributed)てもよい。さらに、これらのコンポーネントは、記憶された様々なデータ構造を有している様々なコンピュータ可読媒体から実行することが出来る。コンポーネントは、ローカルな、および/または、遠隔のプロセスで通信することができ、例えば、ローカルシステムにおいて、分散システムにおいて、及び/または、信号の方法で他のシステムを用いたインターネットのようなネットワークにわたって、別のコンポーネントと相互作用している1つのコンポーネントからのデータのような、1つまたは複数のデータパケットを有する信号にしたがっている。
【００３３】
さらに、様々な態様は、端末に関連してここにおいて説明されており、そしてそれは、ワイヤード端末、あるいはワイヤレス端末であることができる。端末はまた、システム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、あるいはユーザ機器(ＵＥ)と呼ばれることができる。ワイヤレス端末は、セルラ電話、衛星電話(satellite phone)、コードレス電話、セッション設定プロトコル(Session Initiation Protocol)(ＳＩＰ)電話、ワイヤレスローカルループ(wireless local loop)(ＷＬＬ)局、携帯情報端末(personal digital assistant)(ＰＤＡ)、ワイヤレス接続機能を有しているハンドヘルドデバイス、コンピューティングデバイス、あるいはワイヤレスモデムに接続された他のプロセッシングデバイス、であってもよい。さらに、様々な態様は、基地局と関連してここにおいて説明されている。基地局は、ワイヤレス端末(単数または複数)と通信するために使用されることができ、また、アクセスポイント、ノードB、あるいはいくつかの他の用語で呼ばれてもよい。
【００３４】
さらに、用語「あるいは(or)」は、排他的な「あるいは(or)」よりもむしろ包括的な「あるいは(or)」を意味するように意図されている。すなわち、指定されていないかぎり、あるいは、文脈から明瞭でないかぎり、フレーズ「ＸはＡあるいはＢを利用する(X employs A or B)」は、自然な包括置換のうちのいずれかを意味するように意図されている。すなわちフレーズ「ＸはＡまたはＢを使用する(X employs A or B)」は、次の例である「ＸはＡを使用する」、「ＸはＢを使用する」、あるいは、「ＸはＡとＢの両方を使用する」のうちのいずれかによって満たされる。さらに、本願及び添付された特許請求項の範囲において使用されている、冠詞「ａ」及び「ａｎ」は、指定されていないかぎり、あるいは，単数形に指図されるように文脈から明らかでないかぎり、「１つまたは複数(one or more)」を意味するように一般に解釈されるべきである。
【００３５】
ここにおいて記載された技術は、ＣＤＭＡ、ＴＤＭＡ、ＦＤＭＡ、ＯＦＤＭＡ及びＳＣ−ＦＤＭＡ、のような様々なワイヤレス通信システムに使用されることができる。用語「システム（system）」及び「ネットワーク（network）」はしばしば互換性をもって使用される。ＣＤＭＡシステムは、ユニバーサル地上ブロードキャストアクセス（ＵＴＲＡ）、ｃｄｍａ２０００などの無線技術をインプリメントすることができる。ＵＴＲＡは、広帯域ＣＤＭＡ（Ｗ−ＣＤＭＡ）及びＣＤＭＡの他の変形を含む。さらに、ｃｄｍａ２０００は、ＩＳ−２０００、ＩＳ−９５、及びＩＳ−８５６標準を含む。ＴＤＭＡシステムは、モバイル通信のためのグローバルシステム（ＧＳＭ（登録商標））のような無線技術をインプリメントすることができる。ＯＦＤＭＡシステムは、発展型ＵＴＲＡ（Ｅ−ＵＴＲＡ）、ウルトラモバイルブロードバンド（Ultra Mobile Broadband）（ＵＭＢ）、ＩＥＥＥ８０２．２０（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのような無線技術をインプリメントすることができる。ＵＴＲＡとＥ−ＵＴＲＡは、ユニバーサルモバイルテレ通信システム（ＵＭＴＳ）の一部である。３ＧＰＰロングタームエボリューション（ＬＴＥ）は、Ｅ−ＵＴＲＡを使用するＵＭＴＳのリリースであり、そしてそれは、ダウンリンク上でＯＦＤＭＡを、アップリンク上でＳＣ−ＦＤＭＡを、利用する。ＵＴＲＡ、Ｅ−ＵＴＲＡ、ＬＴＥ及びＧＳＭは、「第３世代共同プロジェクト（3rd Generation Partnership Project）」（３ＧＰＰ）と称する組織の文書の中で説明されている。さらに、ｃｄｍａ２０００及びＵＭＢは、「第３世代共同プロジェクト２(3rd Generation Partnership Project 2)」(３ＧＰＰ２)と称された組織の文書の中で説明されている。さらに、そのようなワイヤレス通信システムは、ペアでないライセンスされていないスペクトラム(unpaired unlicensed spectrums)、８０２．ｘｘ無線ＬＡＮ、ＢＬＵＥＴＯＯＴＨ（登録商標）、及びいずれの他の短距離のあるいは長距離の無線通信技術をしばしば使用している、ピア・ツー・ピア（例、モバイル・ツー・モバイル）アドホックネットワークシステムを追加的に含むことができる。
【００３６】
様々な態様あるいは特徴は、多数のデバイス、コンポーネント、モジュール、及び同様なものを含むことができるシステムの観点から提示される。様々なシステムは、更なるデバイス、コンポーネント、モジュール、等を含んでもよく、及び/または、図に関連して説明されたデバイス、コンポーネント、モジュール等のすべてを含まなくてもよい、ということは理解され、認識されるべきである。これらのアプローチの組み合わせもまた使用されることができる。
【００３７】
図１を参照すると、ここにおいて提示される様々な実施形態に従って、ワイヤレス通信システム１００が図示されている。システム１００は、マルチプルのアンテナグループを含むことができる基地局１０２を備える。例えば、１つのアンテナグループはアンテナ１０４とアンテナ１０６を含むことができ、別のグループは、アンテナ１０８とアンテナ１１０を備えることができ、追加グループはアンテナ１１２とアンテナ１１４を含むことができる。２つのアンテナが各アンテナグループについて説明されているが、より多くのまたはより少数のアンテナは各グループについて利用されることができる。基地局１０２は、送信機チェインと受信機チェインを含むことができ、それらのそれぞれは、当業者によって理解されるように、信号送信及び受信と関連付けられた複数のコンポーネント（例、プロセッサ、変調器、マルチプレクサ、復調器、デマルチプレクサ、アンテナなど）を代わりに備えることができる。
【００３８】
基地局１０２は、モバイルデバイス１１６とモバイルデバイス１２２のような１以上のモバイルデバイスと通信することができるが、基地局１０２は、モバイルデバイス１１６と１２２と同様な実質的にはいずれの数のモバイルデバイスと通信することができるということは、理解されるべきである。モバイルデバイス１１６とモバイルデバイス１２２は、例えば、セルラ電話、スマートフォン、ラップトップ、ハンドヘルド通信デバイス、ハンドヘルドコンピューティングデバイス、衛星ラジオ、グローバルポジショニングシステム、ＰＤＡ、及び／または、ワイヤレス通信システム１００上で通信するためのいずれの他の適切なデバイス、であることができる。図示されているように、モバイルデバイス１１６は、アンテナ１１２とアンテナ１１４と通信しており、アンテナ１１２とアンテナ１１４は、順方向リンク１１８上でモバイルデバイス１１６に対して情報を送信し、逆方向リンク１２０上でモバイルデバイス１１６から情報を受信する。さらに、モバイルデバイス１２２は、アンテナ１０４とアンテナ１０６と通信しており、アンテナ１０４とアンテナ１０６は、順方向リンク１２４上でモバイルデバイス１２２に対して情報を送信し、逆方向リンク１２６上でモバイルデバイス１２２から情報を受信する。周波数分割デュプレクス（ＦＤＤ）システムでは、例えば、順方向リンク１１８は、逆方向リンク１２０によって使用されるものとは異なる周波数帯を利用することができ、順方向リンク１２４は、逆方向リンク１２６によって利用されるものとは異なる周波数帯を利用することができる。さらに、時分割デュプレクス（ＴＤＤ）システムでは、順方向リンク１１８と逆方向リンク１２０は、共通の周波数帯を利用することができ、順方向リンク１２４と逆方向リンク１２６は、共通の周波数帯を利用することができる。
【００３９】
各グループのアンテナ、及び／または、それらが通信するように設計されるエリアは、基地局１０２のセクタと呼ばれることができる。例えば、アンテナグループは、基地局１０２によってカバーされるエリアのセクタにおいてモバイルデバイスに対して通信するように設計されることができる。順方向リンク１１８および１２４上の通信において、基地局１０２の送信アンテナは、モバイルデバイス１１６とモバイルデバイス１２２のための順方向リンク１１８と順方向リンク１２４の信号対雑音比を改善するためにビームフォーミングを利用することができる。さらに、基地局１０２が、関連付けられるサービスエリアを通じてランダムに散在したモバイルデバイス１１６および１２２に対して送信するためにビームフォーミングを利用するが、近隣セルにおけるモバイルデバイスは、すべてのそのモバイルデバイスに対して単一のアンテナを通じて送信する基地局と比べて、より少ない干渉を受ける可能性がある。さらに、モバイルデバイス１１６とモバイルデバイス１２２は、ピア・ツー・ピアまたはアドホック技術を使用して、互いに直接的に通信することができる（図示されず）。
【００４０】
一例によれば、システム１００は、マルチプルインプット・マルチプルアウトプット（ＭＩＭＯ）通信システムであることができる。さらに、システム１００は、ＦＤＤ、ＦＤＭ、ＴＤＤ、ＴＤＭ、ＣＤＭおよび同様もの、のような通信チャネル（例えば順方向リンク、逆方向リンク、…）を分割する、実質的に任意のタイプのデュプレキシング技術を利用することができる。さらに、通信チャネルは、チャネル上でマルチプルデバイスとの同時通信を可能にするために直交されることができるが、一例では、この点で、ＯＦＤＭが利用されることができる。したがって、チャネルは、時間期間にわたって周波数の部分に分割されることができる。さらに、フレームは、時間期間の集まりにわたって周波数の部分として定義されることができ、したがって、例えば、フレームは多数のＯＦＤＭシンボルを備えることができる。基地局１０２は、チャネルにわたって、モバイルデバイス１１６とモバイルデバイス１２２に対して通信することができ、そしてそれは、様々なタイプのデータのクリエイト(create)であることができる。例えば、チャネルは、様々なタイプの一般的な通信データ、制御データ(例、他のチャネル用の品質情報、チャネルにわたって受信されるデータのための肯定応答インジケータ、干渉情報、参照信号、など)、及び/または同様なものを通信するために生成されることができる。
【００４１】
一例では、基地局１０２は、マクロセル基地局、フェムトセルアクセスポイント、ピコセルアクセスポイント、リレーノード、及び／または、同様なものであることができる。さらに、より小規模のアクセスポイント(smaller scale access point)１２８が提供されており、そしてそれは、フェムトセルアクセスポイント、ピコセルアクセスポイント、リレーノード、及び／または、同様なものであることができる。一例では、より小規模のアクセスポイント１２８は、基地局１０２のものと同様な技術を使用して、モバイルデバイスと通信することができる。例えば、より小規模のアクセスポイント１２８もまた、無線通信(radio communication)上でチャネルを定義することができ、逆方向リンク上で通信を受信しながら順方向リンク上でモバイルデバイスと通信することができる。一例では、モバイルデバイス１１６及び／またはモバイルデバイス１２２は、基地局の周りを移動することができ、範囲内にあるときには、より小規模のアクセスポイント１２８に対して再選択することができる。モバイルデバイス１１６及び／または１２２は、現在のアクセスポイントよりもさらに望ましい通信のレベルを１以上の周囲アクセスポイントが提供することができるときを決定するために周囲アクセスポイントを測定することによってアクセスポイントを再選択することができる（例、信号強度、提供されるサービス、などに基づいている）。測定した後で、モバイルデバイス１１６及び／または１２２は、最も望ましいアクセスポイントを決定するためにアクセスポイントをランク付けすることができ、アクセスポイントが現在アクセスポイント以外である場合には、モバイルデバイス１１６及び／または１２２は、アクセスポイントに対して再選択を試みることができる。しかしながら、一例では、より小規模のアクセスポイント１２８は、制約される関連付けをインプリメントすることができるので、いくつかのモバイルデバイスは、より小規模のアクセスポイント１２８に接続することができない。このような場合には、モバイルデバイス１１６及び／または１２２は、現在のアクセスポイントと異なる場合には、次にベストなアクセスポイントに対して接続することを試みることができ、この例では、モバイルデバイス１１６及び／または１２２は、より小規模のアクセスポイント１２８が決定されるベストアクセスポイントであるにも関らず、それに接続することができない場合、それらは、基地局１０２と通信することを継続する。
【００４２】
しかしながら、次にベストなアクセスポイントと通信することは、いくつかの場合においては、次にベストなアクセスポイントが同じ周波数スペースで動作するときに、特にモバイルデバイスがベストなアクセスポイントの近接性にある場合、ベストなアクセスポイントに対して実質的な干渉を引き起こす可能性がある。この点において、モバイルデバイス１１６及び／または１２２は、基地局１０２及び／または１以上の異なるアクセスポイント（図示されず）に対してイントラ周波数再選択をモバイルデバイス１１６及び／または１２２が実行することができるかどうか（または、その事柄について通信することを継続すること）を特定するより小規模のアクセスポイント１２８に関連している再選択インジケータを受信することができる。ここにおいて記載されているように、このことは、同じまたは同様な周波数のスペースにおいて基地局１０２または異なるアクセスポイントと通信することによって引き起こされるモバイルデバイス１１６及び／または１２２からの潜在的な干渉をより小規模のアクセスポイント１２８が緩和することを可能にすることができる。
【００４３】
モバイルデバイス１１６及び／または１２２は、より小規模のアクセスポイント１２８が次にベストなアクセスポイントであり、基地局１０２がベストなアクセスポイントである場合には、インジケータを追加的にベリファイすることができる、ということは理解されるべきである。これは、より小規模のアクセスポイント１２８との通信と比較してそのような通信が高いパワーを有することができるとき、基地局１０２はマクロセル基地局であるケースであることができる。インジケータは、各モバイルデバイス１１６及び／または１２２に対して、一般的及び／または特有であることができる。さらに、インジケータは、モバイルデバイス１１６／１２２によって推察される、より小規模のアクセスポイント（例、再選択の測定の間）、基地局１０２、異なるアクセスポイント、コアワイヤレスネットワーク、及び／または、同様なもの、によって提供されることができる。例えば、モバイルデバイス１１６及び／または１２２が再選択を望み、インジケータが再選択を禁止するように設定される場合には、モバイルデバイス１１６及び／または１２２は、修正のためにより小規模のアクセスポイント１２８に関連しているインジケータを継続的にチェックするためにタイマを設定することができる。
【００４４】
いったんインジケータが再選択を許可するように設定されると、モバイルデバイス１１６及び/または１２２は、ワイヤレスネットワークに対するアクセスを受信するために、１以上の周囲アクセスポイントを選択する（例、再選択する、キャンプオンする、等）ことができる（および/または、この例においては、基地局１０２のような１以上の周囲アクセスポイントと通信することを継続する）。その間に、例えば、モバイルデバイス１１６及び/または１２２は、異なる周波数または異なる技術においてアクセスポイントを再選択することができ、また、イントラ周波数再選択を許可するように設定されるインジケータを決定すると、接続が許可される、最も高くランク付けされる周囲のアクセスポイントに対して再選択することができる。別の例では、モバイルデバイス１１６及び／または１２２は、モバイルデバイス１１６及び／または１２２によって引き起こされる予測される干渉または実際の干渉がしきい値レベル未満である場合、インジケータを無視することができる。この例では、モバイルデバイス１１６及び／または１２２は、周囲のアクセスポイントの１以上と通信するために、干渉の予測されるレベルまたは実際のレベルを決定することができる。しきい値レベルがモバイルデバイスについて設定されることができ、また予測されるレベルまたは実際のレベルがしきい値未満である場合には、モバイルデバイス１１６及び／または１２２は、別のアクセスポイントに対して再選択する、及び／または、アクセスポイントと通信することを継続する、ことができる。
【００４５】
一例では、予測されるレベルがアクセスポイント特有であることができるということは理解されるべきである。モバイルデバイス１１６及び／または１２２は上記によるとイントラ周波数再選択を実行することを禁止されるが、それは、周波数の外で動作するアクセスポイントをいくつかのケースにおいていまだに再選択することができる、なぜならば、それらのアクセスポイントは、より小規模のアクセスポイント１２８に対して実質的な干渉を引き起こさない可能性があるからである。同様な機能は、１以上の周囲アクセスポイント（例えばより小規模のアクセスポイント１２８または他のもの）とのモバイルデバイス１１６及び／または１２２の通信を基地局１０２が制御するためにインプリメントされることができるということは理解されるべきである。
【００４６】
図２を参照すると、多数のモバイルデバイスをサポートするように構成されたワイヤレス通信システム２００が図示されている。システム２００は、例えばマクロセル２０２Ａ−２０２Ｇのようなマルチプルセルのための通信を提供しており、各セルは、対応するアクセスポイント２０４Ａ−２０４Ｇによってサービス提供されている。上述されているように、例えば、マクロセル２０４Ａ−２０４Ｇに関連しているアクセスポイント２０４Ａ−２０４Ｇは基地局であることができる。モバイルデバイス２０６Ａ−２０６Ｉは、ワイヤレス通信システム２００の全体にわたって様々なロケーションで分散して示されている。各モバイルデバイス２０６Ａ−２０６Ｉは、図示されているように、順方向リンク及び／または逆方向リンク上で１以上のアクセスポイント２０４Ａ−２０４Ｇと通信することができる。さらに、アクセスポイント２０８Ａ−２０８Ｃが示されている。これらは、より小規模のアクセスポイント、例えばフェムトセルアクセスポイント、ピコセルアクセスポイント、リレーノード、モバイル基地局、及び／または同様なもの、であることができ、記載されているように、特定のサービスロケーションに関連するサービスを提供する。モバイルデバイス２０６Ａ−２０６Ｉは、提供されるサービスを受信するために、これらのより小規模のアクセスポイント２０８Ａ−２０８Ｃと、追加的に、または、代替的に、通信することができる。ワイヤレス通信システム２００は、一例では、大きな地理的領域にわたってサービスを提供することができる（例、マクロセル２０２Ａ−２０２Ｇは、近隣の数ブロックをカバーすることができ、より小規模のアクセスポイント２０８Ａ−２０８Ｃは、記載されているように、住居、職場、及び／または同様なもののようなエリアにおいて存在することができる）。例えば、モバイルデバイス２０６Ａ−２０６Ｉは、無線で、及び／または、バックホール接続上で、アクセスポイント２０４Ａ−２０４Ｇ及び／または２０８Ａ−２０８Ｃとの接続を確立することができる。
【００４７】
追加的に、示されているように、モバイルデバイス２０６Ａ−２０６Ｉは、システム２００全体で移動することができ、それが異なるマクロセル２０２Ａ−２０２Ｇまたはフェムトセルサービスエリアを通じて移動するとき、様々なアクセスポイント２０４Ａ−２０４Ｇ及び／または２０８Ａ−２０８Ｃに関連するセルを再選択することができる。再選択は、周囲のアクセスポイント（または関連セル）を測定すること、その測定に基づいてアクセスポイントをランキングづけすること、そして、現在のアクセスポイントから最も高くランキングづけされるアクセスポイントへのハンドオーバ通信を試みること、を含むことができる。さらに、モバイルデバイスがアイドルモードまたはアクティブモードにありながら、再選択は生じることができる。したがって、例えば、再選択のために周囲のアクセスポイントを継続的に測定しながら（例えば、タイマに基づいている）、モバイルデバイス２０６Ｄはアクセスポイント２０４Ｃと現在通信することができる。測定している間、アクセスポイント２０４Ｄ及び／または２０８Ｃは、モバイルデバイス２０６Ｄが異なるアクセスポイントにより近くに移動するとき、アクセスポイント２０４Ｃよりも高くランク付けされることができる。これが生じるとき、モバイルデバイス２０６Ｄは、最も高くランク付けされるアクセスポイントに対して再選択することができる。
【００４８】
しかしながら、ある場合には、モバイルデバイス２０６Ｄが、最も高くランク付けされるアクセスポイントに対して接続することができないかもしれない。一例では、アクセスポイント２０８Ｃは、制約される関連付けアクセスポイントであることができるので、あるモバイルデバイスだけが接続することができる。この点では、アクセスポイント２０８Ｃは、クローズド加入者グループ(closed subscriber group)（ＣＳＧ）識別子を提供することができる。一例では、モバイルデバイスは、アクセスすることができる及び／またはアクセスすることができない、ＣＳＧのリストを保存することができる。例えばアクセスポイント２０８Ｃが制約される関連付けをインプリメントし、そして、モバイルデバイス２０６Ｄが、それがアクセスポイント２０８Ｃにアクセスすることが許可されないということを決定する場合には、モバイルデバイス２０６Ｄは、次に高くランク付けされた選択可能なアクセスポイントに対して再選択することができる（例、あるいは、それが次に高くランク付けされる場合には、アクセスポイント２０４Ｃと通信することを継続する）。一例では、モバイルデバイス２０６Ｄは、現在のアクセスポイント２０４Ｃと同様なまたは同じ周波数で動作するアクセスポイントのみを測定する、または、周波数外を測定する前にそのようなアクセスポイントを少なくとも測定する、ことができる。
【００４９】
一例によると、モバイルデバイス２０６Ｄは、アクセスポイント２０８Ｃに関連するイントラ周波数再選択インジケータを受信することができる。記載されているように、インジケータは、モバイルデバイス２０６Ｄがアクセスポイント２０８Ｃに対する実質的な干渉を緩和するためにイントラ周波数アクセスポイントと通信することができるかどうかを、特定することができる。モバイルデバイス２０６Ｄは、アクセスポイント２０８Ｃ（例、測定の間に）から、アクセスポイント２０４Ｄから、インジケータを受信することができ、それはセル２０２Ｄにおける複数アクセスポイントのための複数インジケータを特定する；または、それはモバイルデバイス２０６Ｄによって推測されることができる、及び/または、同様なものであることができる。(The mobile device 206D can receive the indicator from the access point 208C (e.g., during measurement), from access point 204D, which specifies indicators for access points in the cell 202D, or it can be inferred from by the mobile device 206D, and/or the like.)インジケータは１以上の周囲アクセスポイントに対するイントラ周波数再選択または通信を許可しないように設定され、モバイルデバイス２０６Ｄがアクセスポイント２０８Ｃ（例、制約される関連付けによる）に接続することが許可されない場合には、モバイルデバイス２０６Ｄは、それに対して再選択を試みるために、周波数の外でアクセスポイントを測定することができる（図示されず）。記載されているように、モバイルデバイス２０６Ｄは、インジケータを受信し周波数の外でそれに応じて再選択するように、再選択を試みる必要はなく、むしろ、モバイルデバイス２０６Ｄは、アクセスポイント２０８Ｃに対する干渉を引き起こすアクセスポイントと通信していることができる。イントラ周波数再選択が許可されるということをインジケータが特定することもまた可能であり、その場合には、モバイルデバイス２０６Ｄは、それが可能である最も高くランク付けされたアクセスポイントに対して再選択すること、または、最も高くランク付けされた選択可能なアクセスポイントであるアクセスポイント２０４Ｃと通信することを継続すること、ができる。
【００５０】
一例では、モバイルデバイス２０６Ｄは、タイマにしたがって、インジケータ、あるいはアクセスポイント２０８Ｃの他のパラメータを再チェックすることができる。例えば、インジケータは、許可されない(not allowed)、から、許可される(allowed)、へと変更する場合には、モバイルデバイス２０６Ｄは、イントラ周波数アクセスポイントに対して再選択することができる。さらに、モバイルデバイス２０６Ｄは、イントラ周波数アクセスポイントと通信することによって引き起こされる予測される干渉の量または実際の干渉の量を決定することに基づいて、インジケータをオーバーライドすることができる。例えば、モバイルデバイス２０６Ｄは、基盤ネットワークからシグナリングされることができる１以上のオフセットパラメータに基づいて干渉の量を予測することができ、オフセットパラメータは、セル２０２Ｄにおけるすべてのアクセスポイントについてのアクセスポイント２０４Ｄによって、及び／または、同様なものによって、特定される。例えば、これは、例えばアクセスポイント２０８Ｃによるインジケータの乱用あるいは機能不良から、モバイルデバイス２０６Ｄを守ることができる。
【００５１】
別の例では、モバイルデバイス２０６Ｄはまた、測定するアクセスポイントの数を決定すること、インジケータに基づいて接続を試みること、再選択のために周波数の外からまたは異なる技術へ（例、３ＧＰＰからＧＳＭ）と移る前にインジケータをオーバーライドすること、ができる。さらに、上述されているように、モバイルデバイス２０６Ｄは、マクロセルアクセスポイント２０４Ｄから、セル２０２Ｄにおけるアクセスポイント２０８Ｃ及び他のアクセスポイントについてのインジケータを受信することができる。インジケータをサービス提供するアクセスポイントは、マクロセルである必要がないということは認識されるべきである。インジケータは、セル２０２Ｄにおいて、実質的にはすべてのアクセスポイントに対して包括的(generic)であることができる。したがって、モバイルデバイス２０６Ｄはアクセスポイント２０８Ｃからインジケータを受信する場合には、それはその時に(at that point in time)イントラ周波数再選択を実行することができないということを想定することができ、そしてそれは、モバイルデバイス２０６Ｄ上のパワーを節約する、というのは、それぞれのインジケータについての他のアクセスポイントをクエリする必要がないためである。しかしながら、別の例では、モバイルデバイス２０６Ｄは、他のアクセスポイントからインジケータを読み取ることができ、そして、衝突するインジケータ(conflicting indicators)が受信される場合（例えば、モバイルデバイス２０６Ｄにおいて符号化されるとき、基盤ネットワークから受信されるとき、及び/または、同様のことであるとき）、決定(resolution)は、モバイルデバイス２０６Ｄによって実行されることができる。
【００５２】
図３に戻ると、ワイヤレス通信環境内の利用のための例示的な通信装置３００が図示されている。通信装置３００はアクセスポイントまたはその一部であることができ、あるいは、ワイヤレスネットワーク上で通信する及び／またはワイヤレスネットワークに対するアクセスを受信する、実質的にはいずれの通信デバイス、であることができる。通信装置３００は、再選択のための周囲のアクセスポイントを評価するアクセスポイント測定コンポーネント３０２と、アクセスポイントに関連している再選択インジケータを得る再選択インジケータ受信コンポーネント３０４と、および周囲のアクセスポイントと通信することにより引き起こされた干渉レベルを計算する干渉予測コンポーネント３０６と、を含むことができる。
【００５３】
一例によると、通信装置３００は、ワイヤレスネットワークにおいて１以上のアクセスポイントと通信することができる（図示されず）。通信装置３００は、アイドルモードまたはアクティブモードにおいて通信することができ、それがワイヤレスネットワークサービスエリアの全体を移動するときにアクセスポイントを再選択することができる。例えば、アクセスポイント測定コンポーネント３０２は、その１つまたは複数の態様を決定するために周囲のアクセスポイントを継続的に評価することができる。一例において、アクセスポイント測定コンポーネント３０２は、アクセスポイントの信号強度、干渉レベル、提供されるサービス、及び／または、同様なもの、を決定することができ、そして、１以上の測定値に基づいて、アクセスポイントをランク付けることができる。再選択プロセスでは、例えば、通信装置３００は、現在のアクセスポイントとは異なる、最も高くランク付けされたアクセスポイントに対する再選択をイニシエートすることができる。
【００５４】
さらに、いくつかのアクセスポイントは、１以上のデバイスがアクセスポイントに接続することができないような、制約される関連付けアクセスポイントであることができる。アクセスポイント測定コンポーネント３０２は、測定するとき、周囲のアクセスポイントについてのＣＳＧ情報を獲得することができ、ＣＳＧ情報が禁止されたアクセスポイントまたは許可されたアクセスポイントのリストにあるかどうかを決定することができる。アクセスポイント測定コンポーネント３０２がアクセスポイントへの接続が禁止されるということを決定する場合には、それは、再選択のためにより低くランク付けされるアクセスポイントを考慮することができる。さらに、再選択インジケータ受信コンポーネント３０４は、１以上の周囲アクセスポイントに関連している再選択インジケータを得ることができる。インジケータは、アクセスポイント、別の周囲アクセスポイント、コアワイヤレスネットワークコンポーネント、モバイルデバイス、及び／または同様なもの、から受信されることができる。さらに、再選択インジケータ受信コンポーネント３０４は、インジケータについてのリクエストに基づいてインジケータを受信することでき、そしてそれは、アクセスポイント測定の間に、再選択の試みの間に、及び/または同様なときに、タイマによって引き起こされることができる。
【００５５】
記載されているように、インジケータは、通信装置３００が、同じまたは同様な周波数スペースで１つまたは複数の異なるアクセスポイントに対して再選択することを許可されるかどうかについて関連することができる。インジケータがそのような再選択を許可しない場合には、通信装置３００は、一例において、現在のアクセスポイントと通信することを継続することができ、再選択インジケータ受信コンポーネント３０４は、それがイントラ周波数再選択を許可するように修正されるかどうかを決定するインジケータを得ることを継続することができる。インジケータが変わる場合、通信装置３００は、１以上のイントラ周波数アクセスポイントに対して再選択することができる。別の例においては、通信装置３００は、アクセスポイントと通信するとき、最も高くランク付けされたものでない制約される関連付けアクセスポイントに関連しているインジケータを得るために、再選択インジケータ受信コンポーネント３０４を必要とすることができる。制約される関連付けアクセスポイントインジケータのうちの１つまたは複数が、イントラ周波数再選択が許可されないということを特定する場合には、通信装置３００は、記載されているように、異なる周波数において、または、異なる技術を使用して、アクセスポイントを再選択することが必要とされることができる。
【００５６】
しかしながら、異なる周波数に関する強要される再選択は、1以上のさらなる照会(inquiries)に従うことができる。例えば、干渉予測コンポーネント３０６は、異なるアクセスポイントと通信する、通信装置３００によって引き起こされた干渉レベルを推定することができる。一例において、干渉予測コンポーネント３０６は、オフセットに少なくとも部分的基づいて干渉をコンピュートすることができ、そしてそれは、一例において基盤ネットワークから受信されることができる。この点に関して、干渉予測コンポーネント３０６は、例えば、制約される関連付けアクセスポイントと次に高くランク付けされるアクセスポイントについての参照信号受信パワー（ＲＳＲＰ）を測定することができる（例、または、アクセスポイント測定コンポーネント３０２からＲＳＲＰを受信する）。モバイルデバイス２０６Ｄは、制約される関連付けアクセスポイントインジケータを無視するかどうかを決定するために、下記の式を使用することができる。
【００５７】
RSRP_csg   <   RSRP_neighborcell + Offset_neighborcell
ここにおいて、ＲＳＲＰ＿ｃｓｇは、制約される関連付けアクセスポイントのＲＳＲＰであり、ＲＳＲＰ＿ｎｅｉｇｈｂｏｒｃｅｌｌは、現在のアクセスポイントまたは再選択のために評価されているもののＲＳＲＰであり、Ｏｆｆｓｅｔ＿ｎｅｉｇｈｂｏｒｃｅｌｌは、上記で記載されるオフセットパラメータであり、そしてそれは、現在のアクセスポイントまたは再選択のために評価されているものに関連することができる。上記の式が満たされない場合には、例えば、通信装置３００は、評価されるアクセスポイントに対して再選択すること、または、それらは制約される関連付けアクセスポイントと周波数の範囲を共有するが現在のアクセスポイントと通信することを継続すること、が可能である。
【００５８】
別の例によると、アクセスポイント測定コンポーネント３０２は、再選択のためにマルチプルアクセスポイントを評価することができ、アクセスポイントのうちの少なくともいくつかは、通信装置３００についてイントラ周波数再選択を許可しないインジケータを有する制約される関連付けアクセスポイントである。しかしながら、この例では、干渉予測コンポーネント３０６は、上記で記載される式を使用して、制約される関連付けアクセスポイントのうちの１つまたは複数をオーバーライドすることができる。干渉予測コンポーネント３０６は、アクセスポイント測定コンポーネント３０２が異なる周波数及び/または技術に関してアクセスポイントを測定する前に、例えば連続オーバーライドの数(a number of consecutive overrides)について、制限を設定することができる。例えば、ベストにランク付けされたアクセスポイントは、通信装置３００によってアクセス不可能である制約される関連付けアクセスポイントである場合、そのインジケータは許可されるに設定されるまたはオーバーライドされることができ、アクセスポイント測定コンポーネント３０２は、次にベストにランク付けされるアクセスポイントなどを、接続することができるアクセスポイントに到達するまで、評価することができる。アクセスポイント測定コンポーネント３０２がＮ−ベストアクセスポイントよりも高くランク付けされるアクセスポイントを評価し、そして、すべてのアクセスポイントが許可されたインジケータまたはオーバーライドされるインジケータを有する制約される関連付けアクセスポイントである場合には（記載されているように、再選択インジケータ受信コンポーネント３０４及び/または干渉予測コンポーネント３０６によって決定される）、アクセスポイント測定コンポーネント３０２は、異なる周波数及び/または技術に関してアクセスポイントを評価することを始めることができる。Ｎは、例えば、正の整数であることができる。さらに、与えられた周波数における反復評価(iterative evaluations)は、追加的に、または、代替的に、時間ベース、及び/または、同様なものであることができる。
【００５９】
図４を参照すると、制約される関連アクセスポイントに対して引き起こされる干渉を緩和するために、再選択インジケータを利用することを容易にするワイヤレス通信システム４００が図示されている。ワイヤレスデバイス４０２は、モバイルデバイス（独立したパワーを備えたデバイスだけでなく、例えばモデムをも含む）、基地局、及び／または、その一部、または、実質的にはいずれのワイヤレスデバイスであることができる。アクセスポイント４０４、及び／または、制約される関連アクセスポイント４０６は、基地局、フェムトセルアクセスポイント、ピコセルアクセスポイント、リレーノード、及び／または、同様なものであることができる。さらに、システム４００は、ＭＩＭＯシステムであることができる、および／または、１以上のワイヤレスネットワークシステム仕様（例、ＥＶ−ＤＯ、３ＧＰＰ、３ＧＰＰ２、３ＧＰＰ ＬＴＥ、ＷｉＭＡＸ等）に合わせることができ、そして、ワイヤレスデバイス４０２とアクセスポイント４０４／４０６間で通信を容易にするためにさらなるコンポーネントを備えることができる。
【００６０】
ワイヤレスデバイス４０２は、複数の周囲のアクセスポイントをそれに関連するパラメータを決定するために評価する、アクセスポイント測定コンポーネント３０２と、アクセスポイント（単数または複数）の範囲内デバイス(devices in-range)がイントラ周波数再選択を実行することできるかどうかを特定する１以上のアクセスポイントに関連している再選択インジケータを得ることができる再選択インジケータ受信コンポーネント３０４と、１以上のアクセスポイントと通信することにおいてワイヤレスデバイス４０２によって引き起こされる干渉レベルを推定することができる干渉予測コンポーネント３０６と、再選択インジケータをリクエストすることに関連している１以上のタイマをイニシャライズしモニタすることができるタイマコンポーネント４０８と、そして、（例、アイドルモードまたはアクティブモードにおける）異なるアクセスポイントへの通信をハンドオーバできるアクセスポイント再選択コンポーネント４１０と、を備えることができる。
【００６１】
アクセスポイント４０４は、再選択インジケータをオーバーライドするためにオフセットを特定することができる干渉オフセットコンポーネント４１２を備えることができ、そして、アクセスポイント４０４は、アクセスポイント４０４によって提供されるセクタにおいて１以上のアクセスポイントに関連している再選択インジケータを特定する再選択インジケータコンポーネント４１４を備えることができる。制約される関連付けアクセスポイント４０６は、記載されているように、制約される関連付けアクセスポイント４０６が制約される関連付けをインプリメントするかどうかを表示する制約される関連付けコンポーネント４１６と、制約される関連付けアクセスポイント４０６についての再選択インジケータを特定する再選択インジケータコンポーネント４１８と、を備えることができる。一例において、再選択インジケータコンポーネント４１４および４１８は両方とも存在する必要はないといことは、理解されるべきである。
【００６２】
一例によると、ワイヤレスデバイス４０２は、ワイヤレスネットワークに対するアクセスを受信するために、アクセスポイント４０４と通信することができる。アクセスポイント測定コンポーネント３０２は、再選択のための周囲のアクセスポイントを、それに関連する１以上のパラメータ、一例においては信号強度、を測定することによって、評価することができる。アクセスポイント測定コンポーネント３０２は測定されるパラメータによってアクセスポイントをランク付けすることができ、アクセスポイント再選択コンポーネント４１０は、アクセスポイント４０４から最も高くランク付けされるアクセスポイントへと通信をハンドオーバすることができる。しかしながら、記載されているように、最も高くランク付けされるアクセスポイントは、制約される関連付け、例えば制約される関連付けアクセスポイント４０６、をインプリメントすることができるので、ワイヤレスデバイス４０２は、制約される関連付けアクセスポイント４０６に対して接続することができない。この例において、アクセスポイント測定コンポーネント３０２は制約される関連付けアクセスポイント４０６を評価するように、それは、制約される関連付けコンポーネント４１６から、制約される関連付けのインジケーション（例えば、グループ識別子、制約コード、及び／または、同様なもの）を受信することができる。アクセスポイント再選択コンポーネント４１０は、一例において、制約される関連付けインジケーションが許可されるアクセスポイントの保存されたリストにおいて存在するかどうかを決定することによって、アクセスポイントが接続されることができるかどうかを決定することができる。
【００６３】
さらに、再選択インジケータ受信コンポーネント３０４は、再選択インジケータコンポーネント４１４及び／または４１８から、制約される関連付けアクセスポイント４０６に関連している再選択インジケータを得ることができる。例えば、再選択インジケータコンポーネント４１４は、アクセスポイント４０４によって提供されるセクタの１以上のアクセスポイントに関連しているインジケータを提供することができる。この例では、アクセスポイント４０４は、マクロセルアクセスポイントであることができ、制約される関連付けアクセスポイント４０６は、マクロセル内に配置されることができる。再選択インジケータコンポーネント４１８は、制約される関連付けアクセスポイント４０６に特有の再選択インジケータを提供することができる。再選択インジケータ受信コンポーネント３０４は、再選択インジケータコンポーネントおよび／または再選択インジケータコンポーネント４１８から、インジケータを受信することができる、ということが理解されるべきである。両方から受信される場合、再選択インジケータ受信コンポーネント３０４は、ワイヤレスデバイス４０２においてハードコードされる(hardcorded)、基盤ワイヤレスネットワークから受信される、アクセスポイント４０４および/または４０６のうちの１つまたは複数から受信される情報、及び/または、同様なもの、に基づいて、可能性のある衝突を解決することができる。いずれの場合においても、例えば、再選択インジケータコンポーネント４１４及び/または４１８は、基盤ワイヤレスネットワークからインジケータを受信すること、異なるイントラ周波数アクセスポイントと通信しているモバイルデバイスから受信される前の干渉に少なくとも部分的に基づいてインジケータを生成すること、及び/または、同様なこと、が可能である。
【００６４】
さらに、再選択インジケータ受信コンポーネント３０４は、再選択インジケータ受信コンポーネント３０４（またはワイヤレスデバイス４０２の他のコンポーネント）からのリクエスト及び/または同様なものに基づいて、アクセスポイント測定コンポーネント３０２による測定の間に、制約される関連付けアクセスポイント４０６に関連しているインジケータを受信することができる。さらに、タイマコンポーネント４０８は、インジケータのそのようなリクエストを生成するために利用されることができる。例えば、アクセスポイント測定コンポーネント３０２によるディスカバリの際に、リクエストはインジケータについて生成されることができる。再選択インジケータ受信コンポーネント３０４がインジケータを（例えば、再選択インジケータコンポーネント４１４及び／または４１８から）受信し、該インジケータは、イントラ周波数再選択を許可しないように設定される場合には、タイマコンポーネント４０８は、インジケータのための後続のリクエストについてタイマをイニシャライズすることができる。一例においては、インジケータがイントラ周波数再選択は許可されないということを表示する場合には、アクセスポイント再選択コンポーネント４１０は、その周波数内で再選択することができない。したがって、アクセスポイント再選択コンポーネント４１０は、アイドルモードにあるとき、記載されているように、タイマの終了(expiry of the timer)を待機すること、及び／または、１以上の異なる周波数において、または、１以上の異なる技術にわたって、再選択すること、が可能である。アクセスポイント再選択コンポーネント４１０が異なる周波数におけるセルに対して再選択する場合、タイマコンポーネント４０８はタイマを実行し続けることができるので、再選択インジケータ受信コンポーネント３０４は、インジケータを継続的にチェックすることができる。この点において、インジケータがイントラ周波数再選択を許可するように切り替える場合には、アクセスポイント再選択コンポーネント４１０は、一例において、制約される関連付けアクセスポイント４０６の周波数において、最も高くランク付けされるセルに対して再選択することができる。
【００６５】
別の例では、アクセスポイント４０４が最も高くランク付けされたマクロセルアクセスポイントである場合、再選択インジケータ受信コンポーネント３０４は、再選択ステータスにかかわらず、制約される関連付けアクセスポイント４０６に関連するインジケータをリクエストすることができる。この点では、アクセスポイント４０４と通信するワイヤレスデバイス４０２は、制約される関連付けアクセスポイント４０６に対する実質的な干渉を引き起こす可能性がある。したがって、一例においては、再選択インジケータ受信コンポーネント３０４は再選択インジケータコンポーネント４１８からインジケータを受信することができ、そして、イントラ周波数再選択が許可されないということをインジケータが特定する場合には（例、アクセスポイント４０４は、制約される関連付けアクセスポイント４０６と同じまたは同様な周波数にある）、アクセスポイント再選択コンポーネント４１０は、再選択のために、他の周波数において、および／または、他の技術を使用して、アクセスポイントを評価することができる。再選択インジケータ受信コンポーネント３０４は、リクエスト、タイマ、または、別な方法、に基づいてインジケータを受信することができる。一例では、再選択インジケータコンポーネント４１８は、制約される関連付けアクセスポイント４０６が実質的な干渉を経験すると、再選択インジケータを送信することができる。
【００６６】
別の例によると、記載されているように、干渉予測コンポーネント３０６は、上で提示されるような例のうちの１以上において、再選択インジケータをオーバーライドすることができる。干渉予測コンポーネント３０６は、イントラ周波数アクセスポイントと通信するワイヤレスデバイス４０２の結果、制約される関連付けアクセスポイント４０６に対して引き起こされる干渉のレベルを推定することができる。一例では、干渉予測は、干渉オフセットコンポーネント４１２から受信されたオフセットに少なくとも一部分基づくことができる。記載されているように、例えば、干渉予測コンポーネント３０６は、インジケータがオーバーライドされることができるかどうかを決定するオフセットに加え、制約される関連付けアクセスポイントの参照信号パワーとイントラ周波数アクセスポイントの参照信号パワーとを含んでいるアルゴリズムを利用することができる。したがって、例えば、再選択インジケータ受信コンポーネント３０４がイントラ周波数再選択は許可されないということを特定する制約される関連付けアクセスポイント４０６に関連するインジケータを得ており、制約される関連付けアクセスポイント４０６の信号強度がオフセットを加えたターゲットアクセスポイントの信号強度よりも小さい場合には、アクセスポイント再選択コンポーネント４１０は、インジケータに関らず、ターゲットアクセスポイントを再選択することができる。オフセットは他のアクセスポイント、基盤ワイヤレスネットワーク、及び／または、同様なものによって、追加的にまたは代替的に受信されることができるということは理解されるべきである。
【００６７】
別の例では、アクセスポイント４０４はアクセスポイント測定コンポーネント３０２によって最も高くランク付けされるマクロセルアクセスポイントであり、記載されているように、再選択インジケータ受信コンポーネント３０４は、制約される関連付けアクセスポイント４０６に関連するインジケータをリクエストすることができる、なぜならば、高い送信パワーは、制約される関連付けアクセスポイント４０６に対して干渉を引き起こすことができるからである。さらに、干渉予測コンポーネント３０６は、負のオフセットが利用されることができる同様な式にしたがってこのケースにおいてインジケータをオーバーライドすることができる。例えば、制約関連付けアクセスポイント４０６の参照信号パワーが、負のオフセットを加えたアクセスポイント４０４（最も高くランク付けされたアクセスポイントである）の参照信号パワーよりも小さい場合には、インジケータは無視されることができ、ワイヤレスデバイス４０２は、アクセスポイント４０４と通信することを継続することができる。両方のケースにおけるオフセットは、干渉予測コンポーネント３０６などによって知られる、干渉オフセットコンポーネント４１２から受信される静的または動的パラメータであることができる。それは、例えば、タイマコンポーネント４０８によって保持される同じまたは異なるタイマにしたがって受信及び／またはリクエストされることができる。
【００６８】
さらに、一例では、ワイヤレスデバイス４０２は、再選択のためにマルチプルアクセスポイントを評価することができる。インジケータが干渉予測コンポーネント３０６によってオーバーライドされることができ、そしてアクセスポイント特有であるので、アクセスポイント測定コンポーネント３０２は、アクセスポイントを測定することを継続することができるが、再選択インジケータ受信コンポーネント３０４は、それが１以上の測定されるアクセスポイントについてのインジケータをオーバーライドすることができないということを決定することができる。この点に関して、アクセスポイント再選択コンポーネント４１０は、周波数及び／または技術を切り替えることができる前に、再選択を達成することなく周波数において評価するためにアクセスポイントの数に関連しているパラメータを受信することができる。例えば、下の表は、アクセスポイント再選択コンポーネント４１０によって出くわした(encoutered)アクセスポイントセルのリストの例である。  
【表１】
2014060751.tif 000003
【００６９】
この例では、セル１はアクセスポイント測定コンポーネント３０２によって評価されることができ、許可されないインジケータは、再選択インジケータ受信コンポーネント３０４によって受信されることができる。アクセスポイント測定コンポーネント３０２は次に高くランク付けされたセル、制約される関連付けインジケータが受信されることができるセル２、そのあとで、別の制約される関連付けインジケータが受信されることができるセル３を評価することを継続することができる。一例では、ワイヤレスデバイス４０２は、セル１、２、または３に対してアクセスすることができ、ここでは、それは、維持されたリストにおいて、関連ＣＳＧを有する。アクセスポイント測定コンポーネント３０２は、一例において、マクロセルであるセル４を測定することができる。したがって、干渉予測コンポーネント３０６がセル１からのインジケータがオーバーライドされることができるということを決定する場合には、アクセスポイント再選択コンポーネント４１０は、セル４を再選択することができる（それがワイヤレスデバイス４０２によって利用される現在のセルではない場合）。しかしながら、別の例では、アクセスポイント再選択コンポーネント４１０は、アクセスポイントの数Ｎを特定することができ、周波数を切り替える前に考慮する。したがって、例えば、Ｎ＝３である場合には、いったんアクセスポイント測定コンポーネント３０２が、セル３が制約される関連付けであると決定すると、それは、再選択する他のアクセスポイントまたは関連セルを見つけるために１以上の異なる周波数または技術のタイプをスキャンすることができる。一例において、タイマは、セル１−３のそれぞれが再選択インジケーション及び／またはＣＳＧステータスが変わるかどうかを決定するために、タイマコンポーネント４０８によってイニシャライズされることができる。この点では、アクセスポイント測定コンポーネント３０２は、タイマの数をしきい値数Ｎと比較することができ、それが周波数を切り替えるべきかどうかを決定する。
【００７０】
図５−９を参照すると、制約される関連付けアクセスポイントのための干渉を最小限にするために再選択インジケータを利用することに関する方法が図示されている。説明を簡略するために、方法は一連のブロックとして示され、そして説明されているが、方法が動作の順序によって制限されていないということは認識され、理解されるべきであり、いくつかの動作は、１つまたは複数の態様にしたがって、ここにおいて図示され説明されたものと、異なる順序で及び/または同時に生じることができる。例えば、当業者は、方法は、状態図におけるような、一連の相互関連付けられた状態あるいはイベントとして代替的に表されることができるであろうということを理解し、認識するであろう。さらに、必ずしもすべての図示される行為は、１以上の態様にしたがって方法をインプリメントすることを必要とされなくてもよい。
【００７１】
図５に戻ると、再選択の間に再選択インジケータを利用することを容易にする例示的な方法５００が図示されている。５０２で、１以上のアクセスポイントは、再選択のためにランク付けされることができる。例えば、参照信号強度、干渉レベル、距離などのような、アクセスポイントに関連している１以上のパラメータが測定されることができる。５０４で、アクセスポイントに関連している再選択インジケータは受信されることができる。説明されているように、再選択インジケータは、イントラ周波数アクセスポイントへの再選択が許可されるかどうか特定することができる。５０６で、再選択インジケータに少なくとも一部分基づいて、ランク付けされるアクセスポイントに対して再選択するかどうか決定されることができる。記載されているように、決定は、異なるアクセスポイントと通信することに関連しているアクセスポイントに対する予測される干渉に少なくとも部分的にさらに基づくことができる。
【００７２】
図６を参照すると、アクセスポイントと通信するときに、再選択インジケータを評価することを容易にする例示的な方法６００が示されている。６０２で、ワイヤレスネットワークアクセスは、アクセスポイントと通信することにより受信されることができる。６０４で、制約される関連付け（ＲＡ）アクセスポイントに関連している再選択インジケータが評価されることができる。再選択インジケータは、１以上のアクセスポイント、例えば、記載されているように、ワイヤレスネットワークアクセスを提供するアクセスポイント、制約される関連付けアクセスポイント、及び／または、同様なもの、から受信されることができる。さらに、一例では、再選択インジケータは、タイマに基づいて受信されることができる。６０６で、異なる周波数における異なるアクセスポイント、または、異なる技術を使用する異なるアクセスポイントが分析されることができ、６０８で、再選択インジケータに基づいて、異なるアクセスポイントのうちの１以上が再選択されることができる。したがって、例えば、制約される関連付けアクセスポイントは、実質的な干渉の影響を受けないということを確実にするために他のアクセスポイントとの通信を制御することができる。説明されているように、再選択することは、厳しすぎる再選択インジケータを回避するために、予測される干渉にさらに基づくことができる。
【００７３】
図７に戻ると、アクセスポイントを再選択し通信することにおいて、再選択インジケータを使用することを容易にする例示的な方法７００が図示されている。７０２で、１以上のアクセスポイントは、再選択のためにランク付けされることができる。記載されているように、これは、それに関連する１つ以上のパラメータを測定すること、そしてそのパラメータに基づいてランク付けすることを含むことができる。７０４で、制約される関連付けアクセスポイントに関連している再選択インジケータが受信されることができる。このことは、タイマにしたがって、リクエスト、及び／または、同様なものに基づいて、アクセスポイント測定において受信されることができる。７０６で、イントラ周波数再選択を許可するために再選択インジケータが設定されるかどうか決定されることができる。そうである場合には、または、現在の通信が通信を継続する場合には、７０８で、最も高くランク付けされる選択可能なアクセスポイントが再選択されることができる。そうでない場合には、７１０で制約される関連付けアクセスポイントのＲＳＲＰと、７１２で次に高くランク付けされる選択可能なアクセスポイント（例、再選択モードにある場合）または現在のアクセスポイント（例、マクロセル基地局に対して現在通信している場合）のＲＳＲＰと、が決定されることができる。
【００７４】
７１４で、次に高くランク付けされるアクセスポイントまたは現在のアクセスポイントと通信することによって制約される関連付けアクセスポイントに対して引き起こされる干渉に関して、記載されているように、干渉予測オフセットが受信されることができる。現在の通信の場合には、記載されているように、オフセットは負であることができる。７１６で、制約される関連付けアクセスポイントのＲＳＲＰが、オフセットを加えた選択可能な／現在のアクセスポイントのＲＳＲＰより小さいかどうかが決定される。そうである場合には、再選択インジケータは無視され、そして、最も高くランク付けされた選択可能なアクセスポイントは再選択されることができる、及び／または、記載されているように、通信は７０８で継続することができる。そうでない場合には、７１８で、再選択なしに７１６の式に対してアクセスポイントのしきい値の数がチェックされるかどうか決定されることができる。そうでない場合には、方法は、次に高くランク付けされた選択可能なアクセスポイントのＲＳＲＰを決定することを７１２で続ける。そうである場合には、７２０で、異なる周波数範囲及び／または技術で動作している１以上のアクセスポイントが再選択されることができる。このことは、制約される関連付けアクセスポイントへの干渉を緩和する。７２２で、再選択タイマはイニシャライズされることができ、終了は待機されることができ、その時点で、方法は、修正された場合において再選択インジケータを再チェックするために７０４に継続することができる。
【００７５】
図８を参照すると、１以上のモバイルデバイスに対し再選択インジケータを送信することを容易にする例示的な方法８００が図示されている。８０２で、ワイヤレスネットワークアクセスを提供するために、１以上のモバイルデバイスが通信されることができる。例えば、モバイルデバイスがワイヤレスネットワークと接続し通信することを可能にするセクタが提供されることができる。８０４で、再選択インジケータは受信されることができる。一例では、インジケータは、基盤ワイヤレスネットワークから受信されること、以前の干渉レベルに基づいて生成されること、及び／または、同様なものであること、ができる。８０６で、再選択インジケータは、ネットワークアクセスが供給される１以上のモバイルデバイスに対して送信されることができる。説明されているように、再選択インジケータは、イントラ周波数の再選択が許可されるかどうか特定することができる。
【００７６】
図９に戻ると、記載されているように、再選択インジケータをオーバーライドするためにオフセットを生成する例示的な方法９００が示されている。９０２で、ワイヤレスネットワークアクセスを提供するために、１以上のモバイルデバイスが通信されることができる。９０４で、再選択インジケータをオーバーライドするためにオフセットは生成されることができる。オフセットは、再選択インジケータ及び／または同様なものに関連しているアクセスポイントに基づいて、固定または動的であることができる。さらに、オフセットは、例えば、１以上のモバイルデバイスがマクロセルである最も高くランク付けされたアクセスポイントと通信している場合には、負であることができる。９０６で、オフセットは、記載されているように、１以上のモバイルデバイスに対して送信されることができる。
【００７７】
ここにおいて記載される１以上の態様にしたがって、推論(inference)は、再選択インジケータまたは関連タイマを決定すること、再選択インジケータをオーバーライドすること、通信から引き起こされる干渉を予測すること、その予測される干渉に関連しているオフセットを生成すること、及び／または、同様なもの、に関して行われることができる。ここにおいて使用されているように、用語「推論する(infer)」または「推論(inference)」は、一般には、事象および／もしくはデータを介してキャプチャされた１セットの観測からシステム、環境、および／またはユーザ、の状態について推理あるいは推論するプロセスを指す。推論は、特定の文脈または動作を識別するために利用されることができる、または、例えば、状態に関する確率分布を生成することができる。推論は、確率的、すなわち、データおよび事象の考慮事項に基づく、対象の状態に関する確率分布のコンピューテーションであることができる。推論は、事象及び／またはデータのセットからハイレベルの事象を構成するために用いられる技法を指す場合もある。このような推論は、事象が密接な時間的近接性において相互に関係してもしなくても、かつ事象ならびにデータが、いくつかの事象およびデータソースから生じようと、結果として、１セットの観測された事象および／または格納された事象データから、新しい事象または新しい動作の構築をもたらす。
【００７８】
図１０は、受信される再選択インジケータにしたがって、アクセスポイントの再選択を容易にするモバイルデバイス１０００の図である。モバイルデバイス１０００は、例えば受信アンテナ（図示されず）から１以上のキャリアにわたって１以上の信号を受信し、受信信号に関して典型的な動作を実行し（例、フィルタにかけ、増幅し、ダウンコンバートし等）、サンプルを得るために条件づけられる信号をデジタル化する受信機１００２を備える。受信機１００２は、受信シンボルを復調することができ、それらを、チャネル推定のために、プロセッサ１００６に対して供給することができる復調器１００４を備えることができる。プロセッサ１００６は、受信機１００２によって受信される情報を分析すること及び／または送信機１０１８による送信のために情報を生成することを専用とするプロセッサ、モバイルデバイス１０００の１以上のコンポーネントを制御するプロセッサ、及び／または、受信機１００２によって受信される情報を分析すること及び／または送信機１０１８による送信のために情報を生成することと、モバイルデバイス１０００の１以上のコンポーネントを制御することと、の両方を行うプロセッサ、であることができる。
【００７９】
モバイルデバイス１０００は、プロセッサ１００６に操作的に結合される、また、送信されるべきデータ、受信データ、利用可能チャネルに関連する情報、分析信号及び／または干渉強度に関連付けられるデータ、割り当てられるチャネル、パワー、レート、または同様なものに関連する情報、及びチャネルを推定しチャネルを介して通信するためのいずれの他の適切な情報、を保存することができる、メモリ１００８を追加的に備えることができる。メモリ１００８は、チャネルを推定すること及び／または利用することに関連付けられるプロトコル及び／またはアルゴリズムを追加的に保存することができる（例、性能ベース、キャパシティベース、など）。
【００８０】
ここにおいて説明されるデータストア（例：メモリ１００８）は、揮発性メモリか不揮発性メモリかのいずれかであることができ、あるいは揮発性メモリと不揮発性メモリの両方を含むことができる、ということが理解されるであろう。例として、限定ではないが、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、あるいはフラッシュメモリを含むことが出来る。揮発性メモリは、外部キャッシュメモリとして作用するランダムアクセスメモリ（ＲＡＭ）を含むことが出来る。例として、限定ではないが、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、拡張ＳＤＲＡＭ（ＥＳＤＲＡＭ）、シンクリンクＤＲＡＭ（Synchlink DRAM）（ＳＬＤＲＡＭ）、およびダイレクトラムバスＲＡＭ（ＤＲＲＡＭ）、のような多くの形態で利用可能である。主題のシステムおよび方法のメモリ１００８は、制限されることなく、これらおよびいずれの他の適切なタイプのメモリを備えるように意図される。
【００８１】
受信機１００２及び／またはプロセッサ１００６は、記載されているように、制約される関連付けアクセスポイントに関連している再選択インジケータを得ることができるインジケータ受信コンポーネント１０１０と、干渉予測オフセットを受信することができるオフセット受信コンポーネント１０１２と、にさらに操作的に結合されることができる。さらに、プロセッサ１００６は、周囲アクセスポイントを測定し、１以上の測定パラメータにしたがってアクセスポイントをランク付けし、そして高くランク付けされる選択可能なアクセスポイントに対して再選択することによって、アクセスポイント再選択をイニシエートする再選択コンポーネント１０１４に結合されることができる。例えば、再選択コンポーネント１０１４は周囲のアクセスポイントを測定することができ、インジケータ受信コンポーネント１０１０は、周囲のアクセスポイントに関連している再選択インジケータを評価することができ、そしてそれは、例えば、与えられたセクタにおける実質的にすべてのアクセスポイントに関連しているマクロセル基地局またはそれぞれのアクセスポイントから受信されることができる。
【００８２】
出くわしたインジケータ(encountered indicators)がイントラ周波数の再選択が許可されるということを特定する場合には、再選択コンポーネント１０１４は、最も高くランク付けされた選択可能なアクセスポイントに対して再選択することができる。しかしながら、イントラ周波数再選択が許可されないということをインジケータが特定する場合には、記載されているように、オフセット受信コンポーネント１０１２はオフセットを得ることができ、そして、干渉の予測レベルをコンピュートすることができる。オフセットを加えたレベルがインジケータに関連しているアクセスポイントのパワーよりも小さい場合には、記載されているように、インジケータは、無視されることができ、オフセットが関連しているアクセスポイントは再選択されることができる。さらに、記載されているコンポーネントは、上記で記載されるように最も高くランク付けされるマクロセル基地局と通信するときに再選択するかどうかを決定するために、使用されることができ、そして、記載されているように周波数を切り替える前に、記載されているようにインジケータの時限再評価の前に、及び同様なものの前に、多数の予測される干渉レベルの比較を決定する。モバイルデバイス１０００は、さらに、信号を変調する変調器１０１６と例えば基地局、別のモバイルデバイスなどに対して送信する送信機１０１８を備える。プロセッサ１００６から別個なものとして図示されているが、復調器１００４、インジケータ受信コンポーネント１０１０、オフセット受信コンポーネント１０１２、再選択コンポーネント１０１４及び／または、変調器１０１６は、プロセッサ１００６またはマルチプルプロセッサ（図示されず）の一部であることができるということは理解されるべきである。
【００８３】
図１１は、アクセスポイント再選択における干渉を緩和するために再選択インジケータを提供することを容易にするシステム１１００の図である。システム１１００は、複数の受信アンテナ１１０６を通じて１以上のモバイルデバイス１１０４から信号（単数または複数）を受信する受信機１１１０と、送信アンテナ１１０８を通じて１以上のモバイルデバイス１１０４に対して送信する送信機１１２４と、を備える基地局１１０２（例アクセスポイント）を備える。受信機１１１０は、受信アンテナ１１０６から情報を受信することができ、受信信号を復号することができるデスクランブラに操作的に関連付けられる。さらに、復調器１１１２は、受信されるデスクランブル信号を復調することができる。復調シンボルは、図７に関して上記で説明されるプロセッサと類似であることができるプロセッサ１１１４によって分析され、そして、それは、メモリ１１１６に結合され、該メモリは、信号（例、パイロット）強度及び/または干渉強度を推定することに関連する情報、モバイルデバイス（単数または複数）１１０４（または異なる基地局（図示されず））に対して送信されるまたは受信されるべきデータ、及び/または、ここにおいて記載される様々な動作及び機能を実行することに関連しているいずれの他の適切な情報、を保存する。プロセッサ１１１４は、基盤ワイヤレスネットワークから受信される、前の干渉測定値から推定される、ハードコードされる、及び/または、同様の、情報に基づいて再選択インジケータを生成する、再選択インジケータコンポーネント１１１８と、再選択インジケータをオーバーライドするかどうかを決定するための、記載されているような、予測レベルオフセットを生成する、オフセットコンポーネント１１２０と、にさらに結合される。
【００８４】
一例によると、記載されているように、再選択インジケータコンポーネント１１１８は再選択インジケータを生成することができ、そしてそれは、リクエスト、タイマ、及び／または同様なものに基づいて、モバイルデバイス１１０４に対して送信されることができる。さらに、オフセットコンポーネント１１２０は、予測される干渉をコンピュートするためにオフセットを生成することができ、該オフセットは、基盤ワイヤレスネットワークによって特定されること、ハードコードされること、及び／または、同様なこと、が可能となる。オフセットは、異なるアクセスポイントに関連している再選択インジケータをオーバーライドするかどうかを決定することを容易にするために、モバイルデバイス１１０４に対して同様に送信されることができる。さらに、プロセッサ１１１４とは別個なものとして図示されているが、復調器１１１２、再選択インジケータコンポーネント１１１８、オフセットコンポーネント１１２０、及び／または、変調器１１２２は、プロセッサ１１１４またはマルチプルプロセッサ（図示されず）の一部であることができるということは理解されるべきである。
【００８５】
図１２は、例示的なワイヤレス通信システム１２００を示す。ワイヤレス通信システム１２００は、簡潔さのために、１つの基地局１２１０と１つのモバイルデバイス１２５０を図示する。しかしながら、システム１２００は、１以上の基地局及び／または１以上のモバイルデバイスを含むことができ、追加の基地局及び／またはモバイルデバイスは、下記で説明されている例示的な基地局１２１０とモバイルデバイス１２５０と実質的に同じまたは異なることができる。さらに、基地局１２１０及び／またはモバイルデバイス１２５０は、それらの間でワイヤレス通信を容易にするためにここにおいて記載されるシステム（図１−４、及び１０−１１）及び／または方法（図５−９）を利用することができる。
【００８６】
基地局１２１０では、多数のデータストリームのためのトラヒックデータが、データソース１２１２から送信（ＴＸ）データプロセッサ１２１４に対して提供される。一例によると、各データストリームは、それぞれのアンテナにわたって送信されることができる。ＴＸデータプロセッサ１２１４は、符号化されたデータを提供するためにそのデータストリームについて選択された特定の符号化スキームに基づいて、トラヒックデータストリームをフォーマット化し、符号化し、そしてインタリーブする。
【００８７】
各データストリームについての符号化されたデータは、直交周波数多重化（ＯＦＤＭ）技術を使用して、パイロットデータで多重化されることができる。追加的にまたは代替的に、パイロットシンボルは、周波数多重化（ＦＤＭ）、時分割多重化（ＴＤＭ）または、符号分割多重化（ＣＤＭ）されることができる。パイロットデータは、一般的には、既知の方法で処理される既知データパターンであり、そして、チャネル応答を推定するためにモバイルデバイス１２５０において使用されることができる。各データストリームについての多重化パイロット及び符号化されたデータは、変調シンボルを提供するためのそのデータストリームについて選択される特定の変調スキーム（例、バイナリ位相シフトキーイング（ＢＰＳＫ）、直角位相シフトキーイング（ＱＰＳＫ）、Ｍ位相シフトキーイング（Ｍ−ＰＳＫ）、Ｍ直交振幅変調（Ｍ−ＱＡＭ）など）に基づいて、変調されることができる（例、シンボルマッピングされる）。各データストリームについてのデータレート、符号化および変調は、プロセッサ１２３０によって、実行される、または、提供される命令によって決定されることができる。
【００８８】
データストリームについての変調シンボルは、ＴＸ ＭＩＭＯプロセッサ１２２０に対して提供されることができ、変調シンボル（例、ＯＦＤＭ用）をさらに処理することができる。ＴＸ ＭＩＭＯプロセッサ１２２０は、ＮＴ送信機（ＴＭＴＲ）１２２２ａ〜１２２２ｔに対して、ＮＴ変調シンボルストリームを提供する。様々な態様では、ＴＸ ＭＩＭＯプロセッサ１２２０は、データストリームのシンボルに対して、そして、送信されるシンボルからアンテナに対して、ビームフォーミング重み付けを適用する。
【００８９】
各送信機１２２２は、１以上のアナログ信号を提供するためにそれぞれのシンボルストリームを受信し処理し、ＭＩＭＯチャネル上の送信に適した変調信号を提供するためにアナログ信号をさらに条件づける（例、増幅し、フィルタにかけ、そしてアップコンバートする）。さらに、送信機１２２２ａ−１２２２ｔのＮＴ変調信号は、それぞれ、ＮＴアンテナ１２２４ａ−１２２４ｔから送信される。
【００９０】
モバイルデバイス１２５０では、送信された変調信号は、ＮＲアンテナ１２５２ａ−１２５２ｒによって受信され、各アンテナ１２５２からの受信信号は、それぞれの受信機（ＲＣＶＲ）１２５４ａ−１２５４ｒに対して提供される。各受信機１２５４は、それぞれの信号を条件づけ（例、フィルタにかけて、増幅し、ダウンコンバートし）、サンプルを提供するためにその条件づけられた信号をデジタル化し、対応する「受信」シンボルストリームを提供するためにサンプルをさらに処理する。
【００９１】
ＲＸデータプロセッサ１２６０は、ＮＴに「検出」シンボルストリームを提供するために、特定の受信機処理技術に基づいて、ＮＲ受信機１２５４からＮＲ受信シンボルストリームを受信し処理することができる。ＲＸデータプロセッサ１２６０は、データストリームのためのトラヒックデータを回復するために、各検出されたシンボルストリームを復調し、デインタリーブし、復号することができる。ＲＸデータプロセッサ１２６０による処理は、基地局１２１０において、ＴＸ ＭＩＭＯプロセッサ１２２０とＴＸデータプロセッサ１２１４によって実行されるものの補足(complementary)である。
【００９２】
プロセッサ１２７０は、上述されているように、どのプレコーディングマトリクス(precoding matrix)を利用するかを周期的に決定することができる。さらに、プロセッサ１２７０は、マトリックスインデックス部分とランク値部分とを備える逆方向リンクメッセージを公式化することができる。
【００９３】
逆方向リンクメッセージは、受信されるデータストリーム及び／または通信リンクに関する様々なタイプの情報を備えることができる。逆方向リンクメッセージは、データソース１２３６から多数のデータストリームのためのトラヒックデータの受信もするＴＸデータプロセッサ１２３８によって処理され、変調器１２８０によって変調され、送信機１２５４ａ−１２５４ｒによって条件付けられ、そして、基地局１２１０に戻って送信されることができる。
【００９４】
基地局１２１０では、モバイルデバイス１２５０からの変調信号は、アンテナ１２２４によって受信され、受信機１２２２によって条件付けられ、復調器１２４０によって復調され、ＲＸデータプロセッサ１２４２によって処理され、モバイルデバイス１２５０によって送信される逆方向リンクメッセージを抽出する。さらに、プロセッサ１２３０は、ビームフォーミング重みを決定するためにどのプレコーディングマトリックスを使用するかを決定するために、抽出されたメッセージを処理することができる。
【００９５】
プロセッサ１２３０及び１２７０は、それぞれ、基地局１２１０とモバイルデバイス１２５０において、オペレーションを命令することができる（例えば、制御する、調和する(coordinate)、管理するなど)。それぞれのプロセッサ１２３０及び１２７０は、プログラムコード及びデータを保存するメモリ１２３２および１２７２と関連付けられることができる。プロセッサ１２３０および１２７０はまた、それぞれ、アップリンクとダウンリンクのための周波数及びインパルス応答推定値を導出するためにコンピューテーションを実行することができる。
【００９６】
ここに説明されている態様はハードウェア、ソフトウェア、ファームウェア、ミドルウェア、マイクロコード(microcode)、あるいはそれらのいずれの組み合わせによってインプリメントされることができる、ということが理解されるべきである。ハードウェアインプリメンテーションの場合、例えば、処理ユニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、ここにおいて説明された機能を実行するように設計された他の電子ユニット、または、それらの組み合わせ、内でインプリメントされることができる。
【００９７】
態様が、ソフトウェア、ファームウェア、ミドルウェアあるいはマイクロコード、プログラムコードあるいはコードセグメント(code segment)においてインプリメントされるとき、それらは、ストレージコンポーネントのようなマシン可読媒体(machine-readable medium)において保存されることが出来る。コードセグメントは、プロシージャ(procedure)、機能、サブプログラム、プログラム、ルーチン、サブルーチン、モジュール、ソフトウェアパッケージ、クラス、あるいは、命令、データストラクチャ、あるいはプログラムステートメントのいずれの組み合わせ、を表すことが出来る。コードセグメントは、情報、データ、アーギュメント(arguments)、パラメータあるいはメモリコンテンツを受け渡しすること、および/または受信することによって、別のコードセグメントあるいはハードウェア回路に結合されることが出来る。情報、アーギュメント、パラメータ、データなどは、メモリの共有、メッセージパッシング(message passing)、トークンパッシング(token passing)、ネットワーク伝送などを含んでいる、いずれの適切な手段を使用して、受け渡され、転送され、あるいは送信されることが出来る。
【００９８】
ソフトウェアインプリメンテーションの場合、ここにおいて説明された技術は、ここにおいて説明された機能を実行するモジュール(例、プロシージャ、機能、など)でインプリメントされることが出来る。ソフトウェアコードは、メモリユニットに保存され、プロセッサによって実行されることが出来る。メモリユニットは、プロセッサ内で、あるいはプロセッサ外で、インプリメントされることが出来、この場合には、それは、当技術分野において知られているような様々な手段を通じてプロセッサに通信的に結合されることが出来る。
【００９９】
図１３を参照すると、ワイヤレス通信システムにおいて再選択するためにアクセスポイントを決定することにおいて、再選択インジケータを使用するシステム１３００が図示されている。例えば、システム１３００は、基地局、モバイルデバイスなどの内に少なくとも部分的に常駐することができる。システム１３００は、機能ブロックを含むものとして表わされており、その機能ブロックは、プロセッサ、ソフトウェア、またはそれらの組み合わせ（例、ファームウェア）を表わす機能ブロックであることができる、ということは理解されるべきである。システム１３００は、共に作用することができる電子コンポーネントの論理グルーピング１３０２を含む。例えば、論理グルーピング１３０２は、イントラ周波数再選択が許可されるかどうかを特定する制約される関連付けアクセスポイントに関連している再選択インジケータを受信するための電子コンポーネント１３０４を含むことができる。例えば、説明されているように、制約される関連付けアクセスポイントは、ＣＳＧ識別子を提供することができ、そしてそれは、アクセスポイントへの接続が許可されないかどうか決定するために評価されることができる。さらに、論理グルーピング１３０２は、ターゲットアクセスポイントと通信することに関連しているオフセットを得るための電子コンポーネント１３０６を含むことができる。説明されるように、オフセットは、ターゲットアクセスポイントと通信することによって制約される関連付けアクセスポイントに対して引き起こされる干渉レベルを推定することに関連することができる。さらに、論理グルーピング１３０２は、再選択インジケータとオフセットとに少なくとも部分的に基づいてターゲットアクセスポイントを選択する（例、再選択、キャンプオンする、など）かどうかを決定するための電子コンポーネント１３０８を備えることができる。
【０１００】
さらに論理グルーピング１３０２は、干渉信号強度に少なくとも部分的に基づいて、制約される関連付けアクセスポイントとターゲットアクセスポイントとを含んでいる再選択のための複数のアクセスポイントをランク付けするための電子コンポーネント１３１０、を含むことができる。したがって、例えば、最も高くランク付けされるアクセスポイントが、接続されることができない制約される関連付けアクセスポイントである場合には、記載されているように、再選択は、次に高くランク付けされるアクセスポイントに移動することができる。さらに、論理グルーピング１３０２は、ターゲットアクセスポイントと通信することから生じる制約される関連付けアクセスポイントに対する干渉の予測レベルを推定するための電子コンポーネント１３１２を含むことができる。例えば、電子コンポーネント１３０８は、記載されるように、干渉の予測レベルに少なくとも部分的に基づいて再選択するかどうかを決定することができる。さらに論理グルーピング１３０２は、イントラ周波数再選択が許可されないということを特定する再選択インジケータを得るとタイマをイニシャライズするための電子コンポーネント１３１４を含むことができる。したがって、タイマの終了の際に、記載されているように、再選択インジケータは再評価されることができる。さらに、システム１３００は、電子コンポーネント１３０４、１３０６、１３０８、１３１０、１３１２、及び１３１４と関連付けられた機能を実行するための命令を保持するメモリ１３１６を含むことができる。メモリ１３１６の外側にあるものとして示されているが、電子コンポーネント１３０４、１３０６、１３０８、１３１０、１３１２及び１３１４のうちの１以上がメモリ１３１６内に存在することができるということは理解されるべきである。
【０１０１】
図１４を参照すると、異なる周波数の範囲において１以上のアクセスポイントを再選択するかどうかを決定することにおいて、再選択インジケータを使用するシステム１４００が図示されている。例えば、システム１４００は、基地局、モバイルデバイスなどの内に少なくとも部分的に常駐することができる。システム１４００は、機能ブロックを含むものとして表わされており、その機能ブロックは、プロセッサ、ソフトウェア、またはそれらの組み合わせ（例、ファームウェア）を表わす機能ブロックであることができる、ということは理解されるべきである。システム１４００は、共に作用することができる電子コンポーネントの論理グルーピング１４０２を含む。例えば、論理グルーピング１４０２は、ネットワークにアクセスすることを容易にするためにアクセスポイントと通信するための電子コンポーネント１４０４を含むことができる。さらに、論理グルーピング１４０２は、イントラ周波数再選択が許可されるかどうかを特定するワイヤレスネットワークにおける制約される関連付けアクセスポイントに関連している再選択インジケータを受信するための電子コンポーネント１４０６を含むことができる。
【０１０２】
さらに、論理グルーピング１４０２は、再選択インジケータに少なくとも部分的に基づいて、再選択のために異なる周波数または技術において、異なるアクセスポイントを分析するための電子コンポーネント１４０８を含むことができる。したがって、例えば、イントラ周波数再選択が再選択インジケータにしたがって許可されない場合には、ワイヤレスネットワークアクセスを提供するアクセスポイントとの通信は、制約される関連付けアクセスポイントに干渉している可能性がある。一例においては、記載されているように、アクセスポイントとの通信は中止し、異なる周波数／技術における他のアクセスポイントは、通信について評価されることができる。さらに、論理グルーピング１４０２は、アクセスポイントと通信することから生じる制約される関連付けアクセスポイントに対する干渉の推定レベルをコンピュートするための電子コンポーネント１４１０を含むことができる。例えば、電子コンポーネント１４０８は、推定されたレベルに基づいて、異なるアクセスポイントを評価するかどうかを決定することができる。制約される関連付けアクセスポイントに干渉することに関連してレベルがしきい値を上回らない場合には、再選択インジケータは、記載されているように、無視されることができる。さらに、システム１４００は、電子コンポーネント１４０４、１４０６、１４０８及び１４１０と関連付けられた機能を実行するための命令を保持するメモリ１４１２を含むことができる。メモリ１４１２の外側にあるものとして示されているが、電子コンポーネント１４０４、１４０６、１４０８及び１４１０のうちの１以上がメモリ１４１２内に存在することができるということは理解されるべきである。
【０１０３】
図１５を参照すると、デバイスと異なるアクセスポイントとからの干渉を緩和するために再選択インジケータを提供するシステム１５００が図示されている。例えば、システム１５００は、基地局、モバイルデバイスなどの内に少なくとも部分的に常駐することができる。システム１５００は、機能ブロックを含むものとして表わされており、その機能ブロックは、プロセッサ、ソフトウェア、またはそれらの組み合わせ（例、ファームウェア）を表わす機能ブロックであることができる、ということは理解されるべきである。システム１５００は、共に作用することができる電子コンポーネントの論理グルーピング１５０２を含む。例えば、論理グルーピング１５０２は、ワイヤレスネットワークに対するアクセスを提供するために、提供されるセクタにおいて１以上のモバイルデバイスと通信するための電子コンポーネント１５０４を含むことができる。さらに、論理グルーピング１５０２は、イントラ周波数再選択が許可されるかどうかを特定する再選択インジケータを１以上のモバイルデバイスに対して送信するための電子コンポーネント１５０６を備えることができる。インジケータは、記載されているように、基盤ワイヤレスネットワークから受信される、他のパラメータから生成される、及び／または、同様なものであることができる。さらに、インジケータは、システム１５００、または、異なるアクセスポイントに関連していることができる。さらに、論理グルーピング１５０２は、制約される関連付けを表示するために提供されるセクタにおいて１以上のモバイルデバイスに対してＣＳＧ識別子を提供するための電子コンポーネント１５０８を含むことができる。さらに、システム１５００は、電子コンポーネント１５０４、１５０６及び１５０８と関連付けられた機能を実行するための命令を保持するメモリ１５１０を含むことができる。メモリ１５１０の外側にあるものとして示されているが、電子コンポーネント１５０４、１５０６、及び１５０８のうちの１以上がメモリ１５１０内に存在することができるということは理解されるべきである。
【０１０４】
図１６を参照すると、システムと通信することにおいて干渉の予測レベルをコンピュートすることに利用するために、オフセットを提供するシステム１６００が図示されている。例えば、システム１６００は、基地局、モバイルデバイスなどの内に少なくとも部分的に常駐することができる。システム１６００は、機能ブロックを含むものとして表わされており、その機能ブロックは、プロセッサ、ソフトウェア、またはそれらの組み合わせ（例、ファームウェア）を表わす機能ブロックであることができる、ということは理解されるべきである。システム１６００は、共に作用することができる電子コンポーネントの論理グルーピング１６０２を含む。例えば、論理グルーピング１６０２は、ワイヤレスネットワークにおいて１以上のモバイルデバイスと通信するための電子コンポーネント１６０４を含むことができる。さらに、論理グルーピング１６０２は、イントラ周波数再選択が許可されるかどうかを特定する制約される関連付けアクセスポイントから受信される再選択インジケータをオーバーライドすることに関してモバイルデバイスに対してオフセットを送信するための電子コンポーネント１６０６を含むことができる。記載されているように、オフセットはシステム１６０２に関連することができ、そして、それに関連して再選択インジケータをオーバーライドするために制約される関連付けアクセスポイントと比較して干渉のレベルが十分に小さいかどうかを決定することにおいて使用されることができる。さらに、システム１６００は、電子コンポーネント１６０４および１６０６と関連付けられた機能を実行するための命令を保持するメモリ１６０８を含むことができる。メモリ１６０８の外側にあるものとして示されているが、電子コンポーネント１６０４および１６０６のうちの１以上がメモリ１６０８内に存在することができるということは理解されるべきである。
【０１０５】
ここにおいて開示される実施形態に関連して説明された様々な説明のための論理、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いずれの従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされてもよい。さらに、少なくとも１つのプロセッサは、上記で説明されたステップ及び／または動作のうちの１つまたは複数を実行することが動作可能な1つまたは複数のモジュールを備えることができる。
【０１０６】
さらに、ここにおいて開示された態様に関連して説明された方法あるいはアルゴリズムのステップ及び/または動作は、直接的にハードウェアにおいて、プロセッサによって実行されたソフトウェアモジュールにおいて、あるいはこれら２つの組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐することができる。例示的な記憶媒体は、プロセッサに結合されるので、プロセッサは、記憶媒体から情報を読み取ることができ、また記憶媒体に情報を書き込むことができる。あるいは、記憶媒体は、プロセッサに一体化されてもよい。さらに、いくつかの態様は、プロセッサと記憶媒体は、ＡＳＩＣにおいて常駐していてもよい。さらに、ＡＳＩＣは、ユーザ機器に常駐していてもよい。あるいは、プロセッサと記憶媒体は、ユーザ端末において、ディスクリートコンポーネントとして存在していてもよい。さらに、いくつかの態様においては、方法あるいはアルゴリズムのステップ及び／または動作は、マシン可読媒体および／またはコンピュータ可読媒体上で、１つ、あるいは、いずれの組み合わせ、あるいは、セットの、コード及び/または命令として、常駐することができる。
【０１０７】
１つまたは複数の態様においては、説明された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、1つまたは複数の命令あるいはコードとして、記憶されてもよく、あるいは、送信されることができる。コンピュータ可読媒体は、ある場所から別の場所へのコンピュータプログラムの転送(transfer)を容易にするいずれの媒体も含んでいる、コンピュータ記憶媒体(computer storage media)と通信媒体(communication media)の両方を含む。記憶媒体は、コンピュータによってアクセスされることができる、任意の利用可能な媒体であってもよい。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコードを保存あるいは搬送するために使用されることができる、また、コンピュータによってアクセスされることができる、任意の他の媒体も備えることができる。また、いずれの接続もコンピュータ可読媒体と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体(medium)の定義に含まれている。ここに使用されているように、ディスク(disk)とディスク(disk)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(blu-ray disc)を含んでおり、ディスク(disks)は、大抵、データを磁気で再生しているが、ディスク(discs)は、レーザーで光学的に再生する。上記のものの組み合わせも、また、コンピュータ可読媒体の範囲内に含まれるべきである。
【０１０８】
以上の開示は、説明の態様及び/または実施形態を説明しているが、様々な変更及び修正が、添付の特許請求項の範囲によって定義されるような、記載された態様及び/または実施形態の範囲から逸脱することなく、ここにおいてなされることができるであろうということに留意されるべきである。さらに、説明された態様及び/または実施形態の構成要素は、単数形で説明あるいは特許請求されているかもしれないが、単数形への制限が明示的に述べられていない限り、複数形が意図されている。さらに、いずれの態様及び/または実施形態のすべてあるいは一部は、述べられていない限り、いずれの他の態様及び/または実施形態のすべてあるいは一部を用いて、利用されることができる。さらに、用語「含む(includes)」が、詳細な説明あるいは特許請求の範囲のいずれかにおいて使用されている範囲内において、そのような用語は、用語「備えている(comprising)」がトランジショナルワード(transitional word)として請求項において使用されるときに解釈されるように、用語「備えている(comprising)」と同様な方法で包括的であるように意図されている。さらに、説明された態様及び/または実施形態の構成要素は、単数形で説明あるいは特許請求されているかもしれないが、単数形への制限が明示的に述べられていない限り、複数形が意図されている。さらに、いずれの態様及び/または実施形態のすべてあるいは一部は、述べられていない限り、いずれの他の態様及び/または実施形態のすべてあるいは一部で、利用されることができる。
【図１】
2014060751.tif 000004
【図２】
2014060751.tif 000005
【図３】
2014060751.tif 000006
【図４】
2014060751.tif 000007
【図５】
2014060751.tif 000008
【図６】
2014060751.tif 000009
【図７】
2014060751.tif 000010
【図８】
2014060751.tif 000011
【図９】
2014060751.tif 000012
【図１０】
2014060751.tif 000013
【図１１】
2014060751.tif 000014
【図１２】
2014060751.tif 000015
【図１３】
2014060751.tif 000016
【図１４】
2014060751.tif 000017
【図１５】
2014060751.tif 000018
【図１６】
2014060751.tif 000019
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
イントラ周波数再選択が許可されるかどうかを特定する制約される関連付けアクセスポイントに関連している再選択インジケータを受信することと、
前記制約される関連付けアクセスポイントと同様な周波数領域で動作するターゲットアクセスポイントと通信することによって、前記制約される関連付けアクセスポイントに対して引き起こされる干渉を予測することに関連している干渉予測オフセットを受信することと、
前記再選択インジケータと前記干渉予測オフセットとに基づいて前記ターゲットアクセスポイントを選択するかどうかを決定することと、
を備える方法。
【請求項２】
前記制約される関連付けアクセスポイントと前記ターゲットアクセスポイントとを含んでいる１以上のアクセスポイントをランク付けすること、をさらに備え、前記制約される関連付けアクセスポイントは、前記ターゲットアクセスポイントよりも高くランク付けされる、請求項１に記載の方法。
【請求項３】
前記ターゲットアクセスポイントと通信することから生じる干渉の予測レベルをコンピュートすること、をさらに備える請求項１に記載の方法。
【請求項４】
前記干渉の予測レベルをコンピュートすることは、前記制約される関連付けアクセスポイントの参照信号受信パワー（ＲＳＲＰ）と、前記オフセットに加えられる前記ターゲットアクセスポイントのものと、比較することを含む、請求項３に記載の方法。
【請求項５】
前記ターゲットアクセスポイントと通信することから生じる前記干渉の予測レベルが前記再選択インジケータをオーバーライドするためのしきい値レベルを超える場合には、より低くランク付けされるターゲットアクセスポイントに関連している異なる干渉の予測レベルをコンピュートすること、をさらに備える請求項４に記載の方法。
【請求項６】
前記異なる干渉の予測レベルが前記再選択インジケータをオーバーライドするための前記しきい値レベルを超えるということを決定することに少なくとも部分的に基づいて、再選択のために、異なる周波数または技術に関して、アクセスポイントを評価すること、をさらに備える請求項５に記載の方法。
【請求項７】
前記再選択インジケータを受信するとタイマをイニシャライズすること、
をさらに備え、前記再選択インジケータは、イントラ周波数再選択が許可されないということを特定する、請求項１に記載の方法。
【請求項８】
前記タイマの終了のときに、第２の再選択インジケータを読み取ることと、
前記第２の再選択インジケータと前記干渉予測オフセットとに基づいて前記ターゲットアクセスポイントを選択するかどうかを決定することと、をさらに備える請求項７に記載の方法。
【請求項９】
前記再選択インジケータは、前記制約される関連付けアクセスポイントが位置づけられるセクタを提供するマクロセル基地局から受信される、請求項１に記載の方法。
【請求項１０】
前記再選択インジケータは、前記セクタ内で位置づけられる実質的にすべての制約される関連付けアクセスポイントに適用する、請求項９に記載の方法。
【請求項１１】
前記再選択インジケータは、前記セクタの追加システム情報とともに受信される、請求項９に記載の方法。
【請求項１２】
前記再選択インジケータは、前記制約される関連付けアクセスポイントから受信される、請求項１に記載の方法。
【請求項１３】
イントラ周波数アクセスポイント再選択が許可されるかどうかを特定する制約される関連付けアクセスポイントに関連している再選択インジケータを得るように、
前記制約される関連付けアクセスポイントと同様な周波数領域で動作するターゲットアクセスポイントと通信することから生じる潜在的な干渉に関連している干渉予測オフセットを受信するように、
前記再選択インジケータと前記干渉予測オフセットとに少なくとも部分的に基づいて前記ターゲットアクセスポイントを選択するかどうかを決定するように、構成される少なくとも１つのプロセッサと；
前記少なくとも１つのプロセッサに結合されるメモリと；
を備えるワイヤレス通信装置。
【請求項１４】
前記少なくとも１つのプロセッサは、前記制約される関連付けアクセスポイントが前記ターゲットアクセスポイントよりも高くランク付けされる場合には、再選択のためにアクセスポイントをランク付けするようにさらに構成される、請求項１３に記載のワイヤレス通信装置。
【請求項１５】
前記少なくとも１つのプロセッサは、前記ターゲットアクセスポイントと通信することから生じる、前記制約される関連付けアクセスポイントに対する干渉の予測レベルをコンピュートするようにさらに構成されており、前記少なくとも１つのプロセッサは、前記の干渉の予測レベルにさらに少なくとも部分的に基づいて、前記ターゲットアクセスポイントを選択するかどうかを決定する、請求項１３に記載のワイヤレス通信装置。
【請求項１６】
前記少なくとも１つのプロセッサは、前記制約される関連付けアクセスポイントの参照信号受信パワー（ＲＳＲＰ）と、前記干渉予測オフセットに加えられる前記ターゲットアクセスポイントのものと、比較することによって、少なくとも部分的に前記干渉の予測レベルをコンピュートする、請求項１５に記載のワイヤレス通信装置。
【請求項１７】
前記少なくとも１つのプロセッサは、前記ターゲットアクセスポイントと通信することから生じる前記干渉の予測レベルが前記再選択インジケータをオーバーライドするためのしきい値レベルを超える場合には、より低くランク付けされるターゲットアクセスポイントに関連している異なる干渉の予測レベルをコンピュートするようにさらに構成される、請求項１６に記載のワイヤレス通信装置。
【請求項１８】
前記少なくとも１つのプロセッサは、前記異なる干渉の予測レベルが前記再選択インジケータをオーバーライドするための前記しきい値レベルを超えるということを決定することに少なくとも部分的に基づいて、再選択のために異なる周波数または技術に関して、アクセスポイントを分析するようにさらに構成されている、請求項１７に記載のワイヤレス通信装置。
【請求項１９】
前記少なくとも１つのプロセッサは、前記再選択インジケータを得るとタイマをイニシャライズするようにさらに構成され、前記再選択インジケータは、イントラ周波数再選択が許可されないということを特定する、請求項１３に記載のワイヤレス通信装置。
【請求項２０】
前記少なくとも１つのプロセッサは、前記タイマの終了のときに、前記制約される関連付けアクセスポイントに関連している異なる再選択インジケータを受信するようにさらに構成される、請求項１９に記載のワイヤレス通信装置。
【請求項２１】
前記少なくとも１つのプロセッサは、前記制約される関連付けアクセスポイントが位置づけられるセクタを提供するマクロセル基地局から、前記再選択インジケータを得る、請求項１３に記載のワイヤレス通信装置。
【請求項２２】
前記再選択インジケータは、前記セクタ内で位置づけられる実質的にすべての制約される関連付けアクセスポイントに適用する、請求項２１に記載のワイヤレス通信装置。
【請求項２３】
幾つかの工程をコンピュータに実行させるためのプログラムであって、前記幾つかの工程が、
イントラ周波数再選択が許可されるかどうかを特定する制約される関連付けアクセスポイントに関連している再選択インジケータを少なくとも１つのコンピュータに受信させること、
前記制約される関連付けアクセスポイントと同様な周波数領域で動作するターゲットアクセスポイントと通信することによって、前記制約される関連付けアクセスポイントに対して引き起こされる干渉を予測することに関連している干渉予測オフセットを前記少なくとも１つのコンピュータに受信させること、
前記再選択インジケータと前記干渉予測オフセットとに基づいて前記ターゲットアクセスポイントを選択するかどうかを前記少なくとも１つのコンピュータに決定させること、
を備える、コンピュータプログラム。
【請求項２４】
前記制約される関連付けアクセスポイントと前記ターゲットアクセスポイントとを含んでいる１以上のアクセスポイントを前記少なくとも１つのコンピュータにランク付けさせることをさらに備え、ここにおいて、前記制約される関連付けアクセスポイントは、前記ターゲットアクセスポイントよりも高くランク付けされる、請求項２３に記載のコンピュータプログラム。
【請求項２５】
前記ターゲットアクセスポイントと通信することから生じる、干渉の予測レベルを前記少なくとも１つのコンピュータにコンピュートさせることをさらに備え、ここにおいて、
前記ターゲットアクセスポイントを選択するかどうかを決定することは、前記干渉の予測レベルをコンピュートすることに少なくとも部分的にさらに基づいている、請求項２３に記載のコンピュータプログラム。
【請求項２６】
前記干渉の予測レベルを前記少なくとも１つのコンピュータに実行させることは、前記制約される関連付けアクセスポイントの参照信号受信パワー（ＲＳＲＰ）と、前記干渉予測オフセットに加えられる前記ターゲットアクセスポイントのものと、比較することを含む、請求項２５に記載のコンピュータプログラム。
【請求項２７】
前記ターゲットアクセスポイントと通信することから生じる前記干渉の予測レベルが前記再選択インジケータをオーバーライドすることのしきい値レベルを超える場合には、より低くランク付けされるターゲットアクセスポイントに関連している異なる干渉の予測レベルを前記少なくとも１つのコンピュータに実行させること、をさらに備える、請求項２６に記載のコンピュータプログラム。
【請求項２８】
前記異なる干渉の予測レベルが前記再選択インジケータをオーバーライドするための前記しきい値レベルを超えるということを決定することに少なくとも部分的に基づいて、再選択のために異なる周波数または技術に関して、アクセスポイントを前記少なくとも１つのコンピュータに評価させること、をさらに備える、請求項２７に記載のコンピュータプログラム。
【請求項２９】
前記再選択インジケータを受信するとタイマを前記少なくとも１つのコンピュータにイニシャライズさせることをさらに備え、前記再選択インジケータは、イントラ周波数再選択が許可されないということを特定する、請求項２３に記載のコンピュータプログラム。
【請求項３０】
前記再選択インジケータを前記少なくとも１つのコンピュータに受信させることは、前記タイマの終了のときに、前記制約される関連付けアクセスポイントに関連している異なる再選択インジケータをさらに受信する、請求項２９に記載のコンピュータプログラム。
【請求項３１】
前記制約される関連付けアクセスポイントが位置づけられるセクタを提供するマクロセル基地局から前記再選択インジケータを前記少なくとも１つのコンピュータに受信させることをさらに備える、請求項２３に記載のコンピュータプログラム。
【請求項３２】
前記再選択インジケータは、前記セクタ内で位置づけられる実質的にすべての制約される関連付けアクセスポイントに適用する、請求項３１に記載のコンピュータプログラム。
【請求項３３】
イントラ周波数再選択が許可されるかどうかを特定する制約される関連付けアクセスポイントに関連している再選択インジケータを得る、再選択インジケータ受信コンポーネントと、
前記制約される関連付けアクセスポイントと同様な周波数範囲で動作するターゲットアクセスポイントと通信することによって引き起こされる干渉に関連している干渉予測オフセットを受信する、干渉予測コンポーネントと、
前記再選択インジケータと前記干渉予測オフセットとに少なくとも部分的に基づいて前記ターゲットアクセスポイントを選択するかどうかを決定する、アクセスポイント再選択コンポーネントと、
を備える装置。
【請求項３４】
干渉信号強度に少なくとも部分的に基づいて、前記制約される関連付けアクセスポイントと前記ターゲットアクセスポイントとを含んでいる再選択の複数のアクセスポイントをランク付けするアクセスポイント測定コンポーネント、をさらに備え、前記制約される関連付けアクセスポイントは、前記ターゲットアクセスポイントよりも高くランク付けされる、請求項３３に記載の装置。
【請求項３５】
前記ターゲットアクセスポイントと通信することから生じる前記制約される関連付けアクセスポイントに対する干渉の予測レベルを推定する干渉予測コンポーネント、をさらに備え、前記アクセスポイント再選択コンポーネントは、前記干渉の予測レベルに少なくとも部分的にさらに基づいて、前記ターゲットアクセスポイントを選択するかどうかを決定する、請求項３３に記載の装置。
【請求項３６】
前記干渉予測コンポーネントは、前記制約される関連付けアクセスポイントの参照信号受信パワー（ＲＳＲＰ）と、前記干渉予測オフセットに加えられる前記ターゲットアクセスポイントのものと、さらに比較する、請求項３５に記載の装置。
【請求項３７】
前記干渉予測コンポーネントは、前記ターゲットアクセスポイントと通信することから生じる前記干渉の予測レベルが前記再選択インジケータをオーバーライドするためのしきい値レベルを超える場合には、より低くランク付けされるターゲットアクセスポイントに関連している異なる干渉の予測レベルをさらに推定する、請求項３６に記載の装置。
【請求項３８】
前記アクセスポイント再選択コンポーネントは、前記異なる干渉の予測レベルが前記再選択インジケータをオーバーライドするための前記しきい値レベルを超えるということを決定することに少なくとも部分的に基づいて、再選択のために異なる周波数または技術に関して、アクセスポイントを評価する、請求項３７に記載の装置。
【請求項３９】
前記再選択インジケータを得るとタイマをイニシャライズするタイマコンポーネント、をさらに備え、前記再選択インジケータは、イントラ周波数再選択が許可されないということを特定する、請求項３３に記載の装置。
【請求項４０】
前記再選択インジケータ受信コンポーネントは、前記タイマの終了のときに、前記制約される関連付けアクセスポイントに関連している異なる再選択インジケータをさらに受信する、請求項３９に記載の装置。
【請求項４１】
前記再選択インジケータ受信コンポーネントは、前記制約される関連付けアクセスポイントが位置づけられるセクタを提供するマクロセル基地局から、前記再選択インジケータを受信する、請求項３３に記載の装置。
【請求項４２】
前記再選択インジケータは、前記セクタ内で位置づけられる実質的にすべての制約される関連付けアクセスポイントに関連している、請求項４１に記載の装置。
【外国語明細書】
2014060751000001.pdf